(57)【特許請求の範囲】
【請求項１】
予め設定された複数の画質調整内容から少なくとも１つの画質調整内容を選択する画質調整選択部と、
前記画質調整選択部により選択された画質調整内容を、与えられた画像データに適用して、当該画像データの画質調整を行う画質調整適用部と、
前記画質調整適用部により画質調整が行われた画像データを、画像表示装置に送信する送信部と、を有し、
前記画質調整選択部は、
前記複数の画質調整内容を適用して画質調整が行われた画像データのうち少なくとも２つが、前記画像表示装置において同一または類似の画質で表示され得る場合に、当該画像データに適用された画質調整内容からは１つの画質調整内容のみを選択する、
画像生成装置。
【請求項２】
前記画質調整内容は、最大調整範囲がそれぞれ設定された複数の画質パラメータの値の組み合わせで定義され、
前記画質調整選択部は、
前記画像表示装置における表示調整により、対応する画質調整内容の補填が可能な画質パラメータに対しては、その最大調整範囲よりも狭いデフォルトの調整範囲を選択し、他の画質パラメータに対しては、その最大調整範囲を選択する、
請求項１記載の画像生成装置。
【請求項３】
前記画質パラメータは、明度、コントラスト、彩度、色温度、シャープネスおよびノイズリダクションの少なくとも１つまたは複数の組み合わせを調整するためのパラメータである、
請求項２記載の画像生成装置。
【請求項４】
前記画像表示装置の種別ごとに、対応する画質調整内容の補填が可能な画質パラメータの前記デフォルトの調整範囲を決定する画質パラメータデフォルト決定部、
を更に有する請求項２記載の画像生成装置。
【請求項５】
画質パラメータの最大調整範囲を適用して画質調整が行われた標準画像の画像データを前記画像表示装置で表示させたときの色域範囲の計測値であるサンプル色域範囲と、前記デフォルトの調整範囲の候補ごとの、その調整範囲を適用して画質調整が行われた前記標準画像の画像データを前記画像表示装置で表示させたときの色域範囲の計測値である複数の表示色域範囲とから、前記サンプル色域範囲と前記複数の表示色域範囲のそれぞれとが重なり合う範囲の大きさを算出する再現色域計算部、を更に有し、
前記画質パラメータデフォルト決定部は、
前記再現色域計算部により算出された値が最大となる表示色域範囲に該当する前記デフォルトの調整範囲の候補を、前記デフォルトの調整範囲に決定する、
請求項２記載の画像生成装置。
【請求項６】
請求項１記載の画像生成装置から送信された画像データを受信する受信部と、
前記複数の画質調整内容の中から、前記受信部により受信された画像データに適用すべき画質調整内容を決定する調整内容決定部と、
前記調整内容決定部により決定された画質調整内容を適用して画質調整が行われた画像データを前記受信部が受信していないとき、前記調整内容決定部により決定された画質調整内容を適用して画質調整が行われたときの画質と同一または類似の画質で表示する表示調整内容を適用して、前記受信部により受信された画像データに対する表示調整を行う表示調整部と、
前記表示調整部により表示調整された画像データを表示する画像表示部と、
を有する画像表示装置。
【請求項７】
前記画質調整内容は、最大調整範囲がそれぞれ設定された複数の画質パラメータの値の組み合わせで定義され、
前記表示調整部は、
前記受信部が受信した画像データに適用された画質パラメータの値と前記調整内容決定部により決定された前記画質パラメータの値との差異に基づいて、前記画像データに適用する表示調整内容を決定する、
請求項６記載の画像表示装置。
【請求項８】
前記画質パラメータは、明度、コントラスト、彩度、色温度、シャープネスおよびノイズリダクションの少なくとも１つまたは複数の組み合わせを調整するパラメータである、
請求項７記載の画像表示装置。
【請求項９】
前記調整内容決定部は、
ユーザ操作による前記画質パラメータの値の決定入力を受け付ける、
請求項７記載の画像表示装置。
【請求項１０】
前記受信部が受信した画像データを格納する画像格納部、を更に有し、
前記調整内容決定部は、
前記画像生成装置に格納された画像データの中から、前記調整内容決定部により決定された画質パラメータの値との差異が最も少ない前記画質パラメータの値が適用された画像データを、前記画像表示部の表示対象に決定する、
請求項７記載の画像表示装置。
【請求項１１】
画質パラメータの値に対応付けて、その値を適用したときの画質と同一または類似の画質で表示する表示調整内容を記述したリニア対応参照テーブルを格納するテーブル格納部、を更に有し、
前記表示調整部は、
前記リニア対応参照テーブルを参照して、前記調整内容決定部により決定された画質パラメータの値に対応する表示調整内容を、前記画像データに適用する表示調整内容に決定する、
請求項６記載の画像表示装置。
【請求項１２】
予め設定された複数の画質調整内容から少なくとも１つの画質調整内容を選択する画質調整選択ステップと、
前記画質調整選択ステップで選択された画質調整内容を、与えられた画像データに適用して、当該画像データの画質調整を行う画質調整適用ステップと、
前記画質調整適用ステップで画質調整が行われた画像データを、画像表示装置に送信する送信ステップと、を有し、
前記画質調整選択ステップは、
前記複数の画質調整内容を適用して画質調整が行われた画像データのうち少なくとも２つが、前記画像表示装置において同一または類似の画質で表示され得る場合に、当該画像データに適用された画質調整内容からは１つの画質調整内容のみを選択する、
画像生成方法。
【請求項１３】
請求項１記載の画像生成装置から送信された画像データを受信する受信ステップと、
前記複数の画質調整内容の中から、前記受信ステップで受信された画像データに適用すべき画質調整内容を決定する調整内容決定ステップと、
前記調整内容決定ステップで決定した画質調整内容を適用して画質調整が行われた画像データを前記受信ステップで受信していないとき、前記調整内容決定ステップで決定した画質調整内容を適用して画質調整が行われたときの画質と同一または類似の画質で表示する表示調整内容を適用して、前記受信ステップで受信した画像データに対する表示調整を行う表示調整ステップと、
前記表示調整ステップで表示調整した画像データを表示する画像表示ステップと、
を有する画像表示方法。
【請求項１４】
コンピュータに、
予め設定された複数の画質調整内容から少なくとも１つの画質調整内容を選択する画質調整選択処理と、
前記画質調整選択処理で選択された画質調整内容を、与えられた画像データに適用して、当該画像データの画質調整を行う画質調整適用処理と、
前記画質調整適用処理で画質調整が行われた画像データを、画像表示装置に送信する送信処理と、を実行させる画像生成プログラムであって、
前記画質調整選択処理は、
前記複数の画質調整内容を適用して画質調整が行われた画像データのうち少なくとも２つが、前記画像表示装置において同一または類似の画質で表示され得る場合に、当該画像データに適用された画質調整内容からは１つの画質調整内容のみを選択する、
画像生成プログラム。
【請求項１５】
コンピュータに、
請求項１記載の画像生成装置から送信された画像データを受信する受信処理と、
前記複数の画質調整内容の中から、前記受信処理で受信された画像データに適用すべき画質調整内容を決定する調整内容決定処理と、
前記調整内容決定処理で決定した画質調整内容を適用して画質調整が行われた画像データを前記受信処理で受信していないとき、前記調整内容決定処理で決定した画質調整内容を適用して画質調整が行われたときの画質と同一または類似の画質で表示する表示調整内容を適用して、前記受信処理で受信した画像データに対する表示調整を行う表示調整処理と、
前記表示調整処理で表示調整した画像データを表示する画像表示処理と、
を実行させる画像表示プログラム。
【発明の詳細な説明】
【技術分野】
【０００１】
本発明は、複数の画質調整内容を適用した画像データを表示するための画像生成装置、画像表示装置、画像生成方法、画像表示方法、画像生成プログラム、および画像表示プログラムに関する。
【背景技術】
【０００２】
近年、一般ユーザがデジタル画像を日常的に取り扱う機会が増えている。デジタルスチルカメラによって撮影される画像や、イメージスキャナにより取り込まれる画像、ビデオ映像の一部のコマからキャプチャされた画像など、画像入力機器で生成される画像の多くが、デジタル画像となっているためである。
【０００３】
生成されたデジタル画像は、各種の画像出力機器に配布したり出力させたりすることが容易である。例えば、デジタル画像は、パーソナルコンピュータのディスプレイ、テレビジョン、ポータブルオーディオビジュアルプレーヤなどの画像表示装置での表示や、プリンタでの印刷出力に供される。また、デジタル画像は、インターネットなどの情報通信ネットワークを利用して、遠隔地への伝送、配布、複製に供される。
【０００４】
このような背景の中、デジタル画像の画質をユーザの狙い通りに調整するためのツール（以下「画質調整ツール」という）が様々登場している。画質調整ツールでは、例えば、明るさ、色合い、彩度、コントラスト（明暗比）、シャープネス（輪郭部の強調度合い）、ノイズ除去など、画質調整のために予め用意されたパラメータ（以下「画質パラメータ」という）の値を指定することにより、デジタル画像の画質を調整可能となっている。このような画質調整ツールは、既に、例えばアドビ社のフォトショップ（商標登録）や市川ソフトラボラトリー社のシルキーピックス（商標登録）など、市販の一部の画像処理ソフトウェアに含まれている。
【０００５】
ところが、画質調整に関する専門的な知識を持たない一般ユーザには、所望の画質を得るために画質パラメータの値をどのように設定すれば良いかを的確に判断することは難しい。
【０００６】
そこで、多くの画質調整ツールでは、編集結果のイメージ画像としてプレビュー画像を表示させることにより、ユーザの画質パラメータの値の設定作業を支援することが行われている。プレビュー画像は、ユーザから受け付けた画質パラメータの値の設定を適用したときの実際の編集結果に類似する画像であって、実際の編集よりも簡易な処理により生成された画像データを表示させたものである。ユーザは、プレビュー画像を見ながら希望する画質を決定し、決定した画質に調整された画像データを最終的に得ることができる。プレビュー画像を表示させる技術は、例えば特許文献１に記載されている。
【０００７】
特許文献１に記載の技術では、編集対象となる画像データに対して画像の縮小処理を行ってから画像変換処理を行う。具体的には、図２５に示す特許文献１に記載の画像生成装置１０は、制御部１２の縮小処理部１６で、入出力インタフェース１１を介して入力された画像データに対して縮小処理を行い、縮小画像データを記憶部１３に格納する。そして、画像生成装置１０は、操作部１５を介してユーザにより画質パラメータの値が指定されるごとに、制御部１２の変換処理部１７で、指定された値に基づく画像変換処理を縮小画像データに対して行い、画像変換された縮小画像データを、プレビュー画像として表示部１４で表示させる。
【０００８】
プレビュー画像は必ずしも編集結果を厳密に再現したものではないが、プレビュー画像を用いることにより、指定された画質パラメータの値から画像データを実際に加工編集して表示するよりも、短い時間でユーザに編集結果を提示することができ、トータルの作業効率を向上させることができる。
【０００９】
ところが、ユーザの操作に対するレスポンスタイム、つまり、ユーザによる画質調整内容の指定からプレビュー画像の表示までに掛かる時間が長いと、プレビュー画像を用いたことによる効果が半減する。
【００１０】
そこで、レスポンスタイムを短縮する技術が、例えば特許文献２に記載されている。
【００１１】
特許文献２に記載の技術では、プレビュー画像用の画像データを予め複数生成してメモリに記憶させる。具体的には、図２６に示す特許文献２に記載の画像生成装置２０は、画像調整処理部２２で、予め画像データに異なる画質に対応する複数の画像処理を施し、得られた複数の画像データを画像メモリ２３に記憶させておく。そして、画像生成装置２０は、プレビュー処理部２４でコントローラ２１を介して画質パラメータの値が指定されるごとに、対応する画像データを前記メモリ２３から読み出してモニタ２５にプレビュー画像として表示させる。これにより、ユーザによる画質パラメータの値の指定に先立って画像処理を開始することができ、レスポンスタイムを短縮することが可能となる。
【特許文献１】特開２００３−３４８３３５号公報
【特許文献２】特開２００２−２０４３６５号公報
【発明の開示】
【発明が解決しようとする課題】
【００１２】
ところで、ユーザ側の機器に対する処理負荷の軽減の要請などから、インターネットなどを用いてオンライン処理で画質調整ツールの機能を実現できることが、市場の要求として存在する。このようなシステムでは、ユーザが画質調整の対象となる画像データを決定し、決定された画像データに対して、プレビュー画像表示の処理が行われる。この場合もやはり、ユーザによる画像データの決定からプレビュー画像の表示までに掛かる時間はできるだけ短いことが望ましい。
【００１３】
ところが、特許文献２記載の技術では、ユーザによる画像データの決定からプレビュー画像の表示までに掛かる時間が、最大で、画質調整内容の選択肢の全てについてプレビュー画像の画像データが生成されるのに要する時間よりも長くなってしまうという問題がある。
【００１４】
画質調整内容の選択肢を削減すれば、プレビュー画像が表示されるまでの最大時間を短縮することが可能である。しかしながら、画質調整内容の選択肢を削減すると、画質調整の選択の幅を狭めてしまい、デジタル画像の画質をユーザの狙い通りに調整することができなくなるおそれがある。
【００１５】
本発明は、かかる点に鑑みてなされたものであり、画質調整の選択の幅を極力狭めずに、プレビュー画像が表示されるまでに要する最大時間を短縮することができる画像生成装置、画像表示装置、画像生成方法、画像表示方法、画像生成プログラム、および画像表示プログラムを提供することを目的とする。
【課題を解決するための手段】
【００１６】
本発明の画像生成装置は、予め設定された複数の画質調整内容から少なくとも１つの画質調整内容を選択する画質調整選択部と、前記画質調整選択部により選択された画質調整内容を、与えられた画像データに適用して、当該画像データの画質調整を行う画質調整適用部と、前記画質調整適用部により画質調整が行われた画像データを、画像表示装置に送信する送信部と、を有し、前記画質調整選択部は、前記複数の画質調整内容を適用して画質調整が行われた画像データのうち少なくとも２つが、前記画像表示装置において同一または類似の画質で表示され得る場合に、当該画像データに適用された画質調整内容からは１つの画質調整内容のみを選択する構成を採る。
【００１７】
本発明の画像表示装置は、上記画像生成装置から送信された画像データを受信する受信部と、前記複数の画質調整内容の中から、前記受信部により受信された画像データに適用すべき画質調整内容を決定する調整内容決定部と、前記調整内容決定部により決定された画質調整内容を適用して画質調整が行われた画像データを前記受信部が受信していないとき、前記調整内容決定部により決定された画質調整内容を適用して画質調整が行われたときの画質と同一または類似の画質で表示する表示調整内容を適用して、前記受信部により受信された画像データに対する表示調整を行う表示調整部と、前記表示調整部により表示調整された画像データを表示する画像表示部とを具備する構成を採る。
【００１８】
本発明の画像生成方法は、予め設定された複数の画質調整内容から少なくとも１つの画質調整内容を選択する画質調整選択ステップと、前記画質調整選択ステップで選択された画質調整内容を、与えられた画像データに適用して、当該画像データの画質調整を行う画質調整適用ステップと、前記画質調整適用ステップで画質調整が行われた画像データを、画像表示装置に送信する送信ステップと、を有し、前記画質調整選択ステップは、前記複数の画質調整内容を適用して画質調整が行われた画像データのうち少なくとも２つが、前記画像表示装置において同一または類似の画質で表示され得る場合に、当該画像データに適用された画質調整内容からは１つの画質調整内容のみを選択するようにした。
【００１９】
本発明の画像表示方法は、上記画像生成装置から送信された画像データを受信する受信ステップと、前記複数の画質調整内容の中から、前記受信ステップで受信された画像データに適用すべき画質調整内容を決定する調整内容決定ステップと、前記調整内容決定ステップで決定した画質調整内容を適用して画質調整が行われた画像データを前記受信ステップで受信していないとき、前記調整内容決定ステップで決定した画質調整内容を適用して画質調整が行われたときの画質と同一または類似の画質で表示する表示調整内容を適用して、前記受信ステップで受信した画像データに対する表示調整を行う表示調整ステップと、前記表示調整ステップで表示調整した画像データを表示する画像表示ステップとを有するようにした。
【発明の効果】
【００２０】
本発明によれば、画質調整の選択の幅を極力狭めずに、プレビュー画像が表示されるまでに要する最大時間を短縮することができる。
【発明を実施するための最良の形態】
【００２１】
以下、本発明の各実施の形態について、図面を参照して詳細に説明する。
【００２２】
（実施の形態１）
図１は、本発明の実施の形態１に係る画像生成装置を含む画像処理システムの構成を示すシステム図である。ここでは、本発明を、家庭内のテレビジョン受信機と情報通信ネットワークを介して接続されたサーバとの連携により、カメラなどの画像入力機器で入力された画像データに対してユーザが所望する画質の画質調整を施す場合を例にとって説明する。
【００２３】
図１において、画像処理システム１００は、画像入力機器群１１０、画像生成装置１２０、画像表示装置１３０、画像出力機器群１４０、および情報通信ネットワーク１５０を有する。この画像処理システム１００は、画質調整を行う処理主体と、ユーザの要求に応じてプレビュー画像を表示する処理主体とを、画像生成装置１２０と画像表示装置１３０とに分離したシステムである。
【００２４】
画像入力機器群１１０は、例えば、カメラおよびイメージスキャナなどの画像入力機器やメモリカードなどの記録媒体である。画像生成装置１２０は、サーバ機器に代表されるコンピュータ機器であり、画像データの加工編集を行うとともに、プレビュー画像の基となる画像データである画像要素の生成を行う。なお、画像入力機器群１１０は、テレビジョンに接続する受信機、セットトップボックス、映像レコーダ、ゲーム機などであっても良い。
【００２５】
ここで、画像要素とは、画質調整処理の編集結果に類似する画像であり、ユーザが目的とする画質調整内容を視覚判断により決定するための補助となるプレビュー画像の基となる画像データをいうものとする。画像要素のフォーマットは、例えば、ＪＰＥＧやビットマップなどの汎用画像データフォーマットである。
【００２６】
画像表示装置１３０は、情報通信ネットワークとの接続能力を備えたテレビジョン（いわゆる「ネットＴＶ」）であり、ユーザの自宅等に設置されている。
【００２７】
画像出力機器群１４０は、例えば、プリンタおよび画像ビューアなどの画像出力機器やメモリカードなどの記録媒体である。
【００２８】
情報通信ネットワーク１５０は、例えば、インターネットである。
【００２９】
画像入力機器群１１０、画像表示装置１３０、および画像出力機器群１４０は、情報通信ネットワーク１５０を介して、画像生成装置１２０と通信可能にそれぞれ接続されている。画像処理システム１００は、画像生成装置１２０と画像表示装置１３０との連携により、画像入力機器群１１０で保持されている画像データをユーザの狙い通りに調整し、調整された画像データを、画像出力機器群１４０で出力または記録する。
【００３０】
画像入力機器群１１０は、外部から入力された画像データ、または撮像画像から生成した画像データを保持する。画像入力機器群１１０が保持する画像データは、画像入力機器群１１０が通信端末（図示せず）に接続された状態で、ユーザ操作などにより画像生成装置１２０への送信が指示されたとき、情報通信ネットワーク１５０を介して入力画像２１０として画像生成装置１２０に送信される。なお、画像入力機器群１１０は、画像表示装置１３０を経由して入力画像２１０を画像生成装置１２０に送信するようにしても良い。
【００３１】
画像生成装置１２０は、各種の画像表示装置を想定した画質調整内容の選択肢（以下「調整選択肢」という）を予め格納する。そして、画像生成装置１２０は、予め格納する調整選択肢を削減した調整選択肢を入力画像２１０に適用して、プレビュー画像の基となる画像要素を生成する。この調整選択肢の削減については、後述する。
【００３２】
画像生成装置１２０は、ダウンロードデータ２２０として、各種データを画像表示装置１３０に送信し、アップロードデータ２３０として各種データを画像表示装置１３０から受信する。画像生成装置１２０は、画像表示装置１３０から、ユーザがプレビュー画像の表示を目的として指定した画質調整内容を示す情報（以下「画質指定情報」という）を受信する。そして、画像生成装置１２０は、受信した画質指定情報に応じて、対応する画像要素を画像表示装置１３０に送信する。また、画像生成装置１２０は、画像表示装置１３０から、ユーザが最終的に決定した画質調整内容を示す情報（以下「画質決定情報」という）を受信する。そして、画像生成装置１２０は、受信した画質決定情報に応じて、対応する画質調整内容を入力画像２１０に適用した画像データである目的画像２４０を生成する。画像生成装置１２０は、生成した目的画像２４０を、通信端末（図示せず）に接続された状態にある画像出力機器群１４０に、情報通信ネットワーク１５０を介して送信する。
【００３３】
なお、画像生成装置１２０は、画像表示装置１３０に対し、画質指定情報に応じて１つずつ画像要素を送信するのではなく、複数の画像要素から成る出力画像を一括で送信するようにしてもよい。
【００３４】
画像表示装置１３０は、受信したダウンロードデータ２２０に基づいて、ディスプレイの画面上に、ユーザが画質調整内容の指定および決定を行うためのユーザインタフェースを生成し、リモートコントローラ１３０ａによるユーザ操作を受け付ける。そして、画像表示装置１３０は、ユーザの操作に応じて画質指定情報を生成し、画像生成装置１２０に送信する。また、画像表示装置１３０は、送信した画質指定情報に対応して送られてくる画像要素を、プレビュー画像としてユーザインタフェースに表示させ、ユーザの操作に応じて、画質指定情報および画質決定情報を生成し、画像生成装置１２０に送信する。リモートコントローラ１３０ａは、画像表示装置１３０と、赤外線や電波などの無線通信、またはケーブルによる有線通信を行う。リモートコントローラ１３０ａに代えて、画像表示装置１３０と一体化された操作部を設けても良い。
【００３５】
なお、画像表示装置１３０は、複数の画像要素から成る出力画像を一括で受信する場合には、受信した出力画像を格納し、ユーザにより指定された画質調整内容に対応する画像要素を、格納した出力画像から取得して表示させる。
【００３６】
画像出力機器群１４０は、通信端末（図示せず）に接続された状態で、画像生成装置１２０から情報通信ネットワーク１５０を介して目的画像２４０を受信する。画像出力機器群１４０は、受信した目的画像２４０を、保持したり、表示または印刷により可視化する。なお、画像出力機器群１４０は、画像表示装置１３０を経由して目的画像２４０を画像生成装置１２０から受信するようにしても良い。
【００３７】
このような構成の画像処理システム１００では、ユーザが所有する画像データに対して、画像生成装置１２０において画質の異なる複数の画像要素が一括で生成され、画像表示装置１３０におけるプレビュー画像の切り替え表示を経て、ユーザが目的とする画質調整内容が決定される。そして、決定結果に従い、画像生成装置１２０で目的画像２４０が生成され、画像出力機器群１４０に渡される。
【００３８】
本実施の形態では、画質調整を、明度、コントラスト、彩度、色温度、シャープネス、およびノイズリダクションの６種類の要素を調整する画質パラメータにより行うものとする。
【００３９】
明度は、画像全体の明るさ傾向を示す画質パラメータである。コントラストは、画像全体の明度差の幅を示す画質パラメータである。彩度は、色の鮮やかさを示す画質パラメータである。色温度は、画像の色合いを示す画質パラメータである。シャープネスは、画像の輪郭強調の度合いを示す画質パラメータである。ノイズリダクションは、ノイズ成分の除去の度合いを示す画質パラメータである。上記した調整選択肢は、これらの画質パラメータの選択肢の組み合わせのパターンである。
【００４０】
以下、本実施の形態に係る画像生成装置１２０の構成および動作について、より詳細に説明する。まず、画像生成装置１２０の構成について説明する。
【００４１】
図２は、画像生成装置１２０の構成を示すブロック図である。
【００４２】
図２において、画像生成装置１２０は、入力画像格納部１２１、画質パラメータ格納部１２２、画質パラメータ削減対象選択部１２３、画質パラメータデフォルト決定部１２４、画質パラメータ適用部１２５、出力画像格納部１２６、および送受信部１２７を有する。
【００４３】
入力画像格納部１２１は、後述する送受信部１２７が画像入力機器群１１０から受信した入力画像２１０を保持する。入力画像２１０のデータフォーマットは、例えば、標準規格として広く普及しているＪＰＥＧ（joint photographic experts group）やＴＩＦＦ（tagged image file format）、デジタルスチルカメラの撮像素子が記録した信号データに撮影時の各種情報を付加して成るＲＡＷデータなどの汎用画像データである。以下、入力画像２１０が、デジタルスチルカメラ（以下単に「カメラ」という）で撮影された画像のＲＡＷデータであるものとして、説明を行う。
【００４４】
図３は、ＲＡＷデータである場合の入力画像２１０のデータ構成の一例を示す図である。
【００４５】
図３に示すように、入力画像２１０は、センサイメージ情報２１１、カメラ設定情報２１２、サムネイル情報２１３、有効ピクセル範囲情報２１４、機器情報２１５、フォーマット情報２１６、および独自情報２１７を含む。
【００４６】
センサイメージ情報２１１は、カメラのイメージセンサが取り込んだ画像情報である。センサイメージ情報２１１は、カメラ内部の画像処理が行われる前のものが望ましく、また、カメラのイメージセンサが取り込んだ画像情報の一部または全ての情報が公知の符号化技術を用いて圧縮されたものであっても良い。
【００４７】
カメラ設定情報２１２は、撮影日時、撮影モード、感度、絞り値、シャッタースピード、フラッシュ発光の有無など、撮影時におけるカメラの設定内容を示す情報である。また、カメラ設定情報２１２は、ＪＥＩＤＡ（日本電子工業振興協会）が仕様を策定している汎用画像フォーマットであるＥＸＩＦ（exchangeable image file format）情報に準拠または類似したものでも良い。
【００４８】
サムネイル情報２１３は、標準的な現像結果を簡易的に確認するための画像情報である。有効ピクセル範囲情報２１４は、センサイメージ情報２１１の有効ピクセル範囲を指定する情報である。機器情報２１５は、カメラ及びレンズに関する情報である。フォーマット情報２１６は、データフォーマットの種類及びバージョンを示す情報である。独自情報２１７は、その他の独自の情報である。
【００４９】
上記各情報は、一般にはコンピュータ分野における公知のファイルシステム技術を用いて、ファイルとして記録および使用される。ファイル内部のデータ構造は、例えば、情報の種類を示すタグ（Ｔａｇ）、情報の長さ（Ｌｅｎｇｔｈ）、情報の内容（Ｖａｌｕｅ）の組み合わせを、所要の情報数だけ連結したＴＬＶ形式を採ることができる。なお、ＲＡＷデータは、カメラメーカー各々が独自に策定したデータフォーマットに従うものが多いため、入力画像２１０の形式は上記内容に限定されるものではない。
【００５０】
図２の画質パラメータ格納部１２２は、調整範囲テーブルを予め格納する。調整範囲テーブルには、入力画像２１０の加工編集に用いられる画質パラメータごとに、画質パラメータの値の選択肢（以下「値選択肢」という）が規定されている。
【００５１】
図４は、調整範囲テーブルの内容の一例を示す図である。
【００５２】
図４に示すように、調整範囲テーブル３１０は、パラメータ種別３１１、最小値３１２、最大値３１３、およびステップ量３１４から構成される。
【００５３】
パラメータ種別３１１には、入力画像２１０の加工編集に用いる画質パラメータの種別として、「明度」、「コントラスト」、「彩度」、「色温度」、「シャープネス」、および「ノイズリダクション」の６つの画質パラメータの種別が記述される。
【００５４】
最小値３１２には、画質パラメータの種別に対応付けて、その画質パラメータついて選択し得る最小の値が記述される。最大値３１３には、画質パラメータの種別に対応付けて、その画質パラメータについて選択し得る最大の値が記述される。ステップ量３１４には、画質パラメータの種別に対応付けて、その画質パラメータについて選択し得る値の間隔が記述される。
【００５５】
最小値３１２の値から最大値３１３の値までの範囲は、例えば、一般的なユーザが希望する画質の調整可能範囲に対応する範囲である。また、ステップ量３１４の値は、例えば、一般的なユーザが画質の違いを認識可能な、画質パラメータの値の差の最小値である。これらの値は、実験や経験から決定することができる。
【００５６】
例えば、図４に示す調整範囲テーブル３１０には、「明度」というパラメータ種別３１１に対応付けて、最小値３１２、最大値３１３、およびステップ量３１４として、それぞれ「０」、「９０」、および「１０」が記述されている。これは、画像データの明度に影響を与える画質パラメータが採り得る値を、「０、１０、２０、３０、４０、５０、６０、７０、８０、９０」の１０通りに規定するものである。
【００５７】
すなわち、６種類の画質パラメータには、それぞれ複数の値選択肢が規定されている。各画質パラメータの値の組み合わせにより画質が決定されるため、調整範囲テーブル３１０全体で、調整選択肢が膨大な数で規定されている。
【００５８】
図４に示す調整範囲テーブル３１０をそのまま使用した場合、各々の画質パラメータに１０段階の値を設定し得ることから、６種類の画質パラメータの組み合わせによる調整選択肢の総数は、１０の６乗、つまり１００万通りとなる。仮に画像要素の生成時間を１枚あたり０.０１秒とした場合、全ての画像要素生成に要する時間は約２.８時間となってしまう。すると、ユーザが入力画像２１０を送信してから、送信した画像について画質調整を開始するまでに３時間近く待たなければならず、システムとして非常に使い勝手が悪い。
【００５９】
ステップ量３１４をより大きい値に設定すれば、値選択肢の数および調整選択肢の数が減少し、プレビュー画像の表示までに要する時間を短縮することができる。ところが、ステップ量３１４をより大きい値に設定すると、細かな画質調整ができなくなり、ユーザが希望する画質を得られなくなる可能性が高くなる。
【００６０】
そこで、本実施の形態の画像生成装置１２０では、画像要素の生成の対象となる調整選択肢を、本来提示すべき調整選択肢を残した状態で削減する。具体的には、画像生成装置１２０は、どの値選択肢を選択してもプレビュー画像を表示する装置（ここでは画像表示装置１３０）において画像データが同一または類似の画質で表示されるような画質パラメータについては、画像要素の生成の対象となる値選択肢を、１つのデフォルト値に絞る。これにより、調整選択肢、つまり画像要素の生成枚数が削減され、プレビュー画像の表示までに要する時間が短縮される。
【００６１】
例えば、６種類の画質パラメータのうち２種類の画質パラメータについて、値選択肢を無くし、それぞれ１つのデフォルト値に固定すると、調整選択肢の総数は、１０の４乗、つまり１万通りまで削減される。そして、画像要素の生成時間が１枚あたり０.０１秒の場合の全ての画像要素生成に要する時間は、１.７分まで短縮される。
【００６２】
図２の画質パラメータ削減対象選択部１２３は、プレビュー画像の表示を行う可能性のある装置（以下「表示装置」という）の種別ごとに用意された削減対象テーブルを、予め格納する。削減対象テーブルは、値選択肢の削減により画像要素の生成枚数の削減に寄与し得る画質パラメータの種別（以下「削減対象」という）を規定する。
【００６３】
図５（Ａ）〜図５（Ｃ）は、それぞれ異なる表示装置の種別に対応する削減対象テーブルの内容の一例を示す図である。
【００６４】
図５に示すように、各削減対象テーブル３２０には、削減対象が記述されている。図５（Ａ）に示す削減対象テーブル３２０−１には、画像表示装置１３０における表示画像の画質調整（以下「表示調整」という）により明度と色温度を変化させることができるテレビジョンを画像要素の送信先としたときの削減対象が記述されている。図５（Ｂ）に示す削減対象テーブル３２０−２には、表示画面が小さいことからシャープネスやノイズリダクションの違いが表現されない携帯電話機を画像要素の送信先としたときの削減対象が記述されている。図５（Ｃ）に示す削減対象テーブル３２０−３には、モノクロ表示のテレビジョンを画像要素の送信先としたときの削減対象が記述されている。
【００６５】
例えば、図５（Ａ）に示す削減対象テーブル３２０−１には、削減対象として、「明度」および「色温度」が記述されている。これは、調整の対象から、「明度」と「色温度」という画質パラメータを除外すべきであることを示す。つまり、削減対象テーブル３２０−１は、表示装置側における表示調整によって対応する画質調整内容の補填が可能な画質パラメータを、削減対象として記述している。
【００６６】
また、例えば、図５（Ｂ）に示す削減対象テーブル３２０−２には、削減対象として、「シャープネス」および「ノイズリダクション」が記述されている。これは、調整の対象から、「シャープネス」と「ノイズリダクション」という画質パラメータを除外すべきであることを示す。つまり、削減対象テーブル３２０−２は、表示装置側において値選択肢ごとに画像要素を用意しても意味の無い画質パラメータを、削減対象として記述している。
【００６７】
図２の画質パラメータ削減対象選択部１２３は、画像要素の送信先であってプレビュー画像の表示に実際に使用される表示装置（ここでは画像表示装置１３０）の種別に対応する削減対象テーブルを参照して、記述されている削減対象を選択し、選択結果を画質パラメータ適用部１２５に出力する。
【００６８】
ここで、図１に示す画像表示装置１３０が、図５（Ａ）に示す削減対象テーブル３２０−１が対応する種別の表示装置であるものとする。この場合、画質パラメータ削減対象選択部１２３は、図４に示した６つの画質パラメータの種別のうち、「明度」および「色温度」を削減対象として選択する。
【００６９】
なお、画質パラメータ削減対象選択部１２３における削減対象の選択は、図５に示すようなテーブル形式で保持されたデータの参照によってではなく、コンピュータ資源に命令を与えるプログラムの実行や、外部からの制御により実現しても良い。
【００７０】
画質パラメータデフォルト決定部１２４は、表示装置の種別ごとに削減対象に設定すべきデフォルト値を規定したデフォルト値テーブルを予め格納する。画質パラメータデフォルト決定部１２４は、デフォルト値テーブルを参照して、画質パラメータ削減対象選択部１２３で選択された削減対象に適用するデフォルト値を決定し、決定結果を画質パラメータ適用部１２５に出力する。
【００７１】
図６（Ａ）〜図６（Ｃ）は、それぞれ異なる表示装置の種別に対応するデフォルト値テーブルの内容の一例を示す図である。
【００７２】
図６に示すように、各デフォルト値テーブル３３０は、削減対象３３１およびデフォルト値３３２から構成される。
【００７３】
削減対象３３１には、削減対象となる画質パラメータの種別が記述される。デフォルト値３３２には、画質パラメータの種別に対応付けて、適用すべきデフォルト値が記述される。
【００７４】
図６（Ａ）〜図６（Ｃ）に示すデフォルト値テーブル３３０−１〜３３０−３は、順に、図５に示す削減対象テーブル３２０−１〜３２０−３と同一の表示装置の種別に対応している。
【００７５】
例えば、デフォルト値テーブル３３０−１には、削減対象３３１として削減対象テーブル３２０−１と同一の画質パラメータの種別が記述されている。そして、デフォルト値テーブル３３０−１には、「明度」という削減対象３３１に対応付けて、「５０」というデフォルト値３３２が記述され、「色温度」という削減対象３３１に対応付けて、「５５００」というデフォルト値３３２が記述されている。これは、対応する表示装置の種別について、明度が削減対象に選択された場合には、その値を５０に設定すべきであり、色温度が削減対象に選択された場合には、その値を５５００に設定すべきであることを示す。
【００７６】
なお、画質パラメータ削減対象選択部１２３または画質パラメータデフォルト決定部１２４で、図５に示す削減対象テーブル３２０と図６に示すデフォルト値テーブル３３０とを統合して、一元的に保持しても良い。
【００７７】
図２に示す画質パラメータ適用部１２５は、調整選択肢のそれぞれに対応付けて、類似した画質を有する画像要素を生成する処理内容を予め格納する。画質パラメータ適用部１２５は、入力画像格納部１２１に保持された入力画像２１０を読み出し、上記した６つの種別の画質パラメータの値の組み合わせに対応する処理内容を入力画像２１０に適用して、画像要素を生成する。そして、入力画像格納部１２１は、生成した画像要素を出力画像格納部１２６に格納する。
【００７８】
具体的には、画質パラメータ適用部１２５は、調整範囲テーブル３１０が規定する各画質パラメータの値選択肢と、画質パラメータ削減対象選択部１２３による削減対象の選択結果と、画質パラメータデフォルト決定部１２４によるデフォルト値の決定結果とから、入力画像２１０に適用する調整選択肢を決定する。画質パラメータ適用部１２５は、決定した調整選択肢の全てを個別に適用して、入力画像２１０に簡易な画質処理を施した複数の画像要素を生成する。そして、画質パラメータ適用部１２５は、生成した複数の画像要素から成る出力画像を生成し、生成した出力画像を、個々の画像要素をその画像要素に適用した画質調整内容に対応付けた状態で、出力画像格納部１２６に格納する。
【００７９】
画質パラメータ適用部１２５が生成する出力画像のフォーマットは、多数の画像要素を効率的に扱うために、例えば、ＭＰＥＧ（moving picture experts group）などの汎用動画像データにエンコードしたものとすれば良い。静止画像から動画像をエンコードする手法としては、単純に各静止画を動画内のコマに変換して繋げる技術や、他の画質向上及びデータ量削減を意図した様々なエンコード技術を適用可能である。また、ここでは、１つの入力画像２１０に対して、１つの出力画像が生成されるものとする。
【００８０】
出力画像格納部１２６は、画質パラメータ適用部１２５により格納された出力画像を、個々の画像要素を画質調整内容に対応付けた状態で保持する。
【００８１】
送受信部１２７は、情報通信ネットワーク１５０に接続し、情報通信ネットワーク１５０を介して、画像入力機器群１１０、画像表示装置１３０、および画像出力機器群１４０と通信を行う。送受信部１２７は、画像入力機器群１１０から入力画像２１０を受信したとき、受信した入力画像２１０を、入力画像格納部１２１に格納する。また、送受信部１２７は、画像表示装置１３０から画質指定情報が送られてきたとき、その画質指定情報が指定する画質調整内容に対応する画像要素を出力画像格納部１２６から読み出し、画像表示装置１３０に送信する。更に、送受信部１２７は、画像表示装置１３０から画質決定情報が送られてきたとき、その画質決定情報が示す画質調整内容を前記入力画像格納部１２１に格納された入力画像２１０に施して、目的画像２４０を生成し、生成した目的画像２４０を、画像出力機器群１４０に送信する。
【００８２】
なお、送受信部１２７は、出力画像を一括で画像表示装置１３０に送信する場合には、出力画像の出力画像格納部１２６への格納が完了した時点で、出力画像格納部１２６から一括で出力画像を読み出し、画像表示装置１３０に送信する。
【００８３】
画像生成装置１２０は、図示しないが、ＣＰＵ（central processing unit）、制御プログラムを格納したＲＯＭ（read only memory）などの記憶媒体、ＲＡＭ（random access memory）などの作業用メモリ、および通信回路などを有する。上記した各部の機能は、例えば、ＣＰＵが制御プログラムを実行することで実現される。
【００８４】
以下、上記構成を有する画像生成装置１２０の動作について説明する。
【００８５】
図７は、入力画像２１０を受信してから画像要素を準備するまでの、画像生成装置１２０の動作の流れの一例を示すフローチャートである。
【００８６】
まず、ステップＳ１１００で、入力画像格納部１２１は、入力画像２１０を準備する。具体的には、入力画像格納部１２１は、送受信部１２７が画像入力機器群１１０から受信した入力画像２１０を保持し、画質パラメータ適用部１２５などの関連する他の各部に対し要求に応じて渡す事が可能な状態、または他の各部からの読み出しが可能な状態にする。そして、入力画像格納部１２１は、入力画像２１０の準備が完了すると、その旨を関連する他の各部に通知する。
【００８７】
そして、ステップＳ１２００で、画質パラメータ削減対象選択部１２３は、プレビュー画像の基となる画像要素の生成枚数を削減するために、削減対象とすべき画質パラメータの種別を特定する。具体的には、画質パラメータ削減対象選択部１２３は、まず、画像表示装置１３０の表示装置としての種別を示す情報（以下「種別情報」という）を、アップロードデータ２３０または入力画像２１０の独自情報２１７から取得する。そして、画質パラメータ削減対象選択部１２３は、取得した種別情報に対応する削減対象テーブル３２０を参照して削減対象を取得し、取得した削減対象を、画質パラメータ適用部１２５および画質パラメータデフォルト決定部１２４に通知する。
【００８８】
そして、ステップＳ１３００で、画質パラメータデフォルト決定部１２４は、削減対象に対して割り当てるデフォルト値を決定する。具体的には、画質パラメータデフォルト決定部１２４は、画質パラメータ削減対象選択部１２３が参照先とした削減対象テーブル３２０に対応するデフォルト値テーブル３３０を参照して、削減対象となる画質パラメータのデフォルト値を決定する。そして、画質パラメータデフォルト決定部１２４は、決定したデフォルト値を、画質パラメータ適用部１２５に通知する。
【００８９】
そして、ステップＳ１４００で、画質パラメータ適用部１２５は、画像要素の生成に適用すべき画質パラメータごとの値選択肢の組み合わせパターン（以下単に「組み合わせパターン」という）の全てを網羅した、出力画質パラメータのリスト（以下「パラメータリスト」という）を作成する。具体的には、画質パラメータ適用部１２５は、削減対象以外の画質パラメータについては調整範囲テーブル３１０に記述された値選択肢の全てを適用し、削減対象については入力されたデフォルト値を適用して、組み合わせパターンを作成し、パラメータリストを作成する。パラメータリストは、組み合わせパターンを列記したデータの形態を採っても良いが、計算機処理により値の組み合わせを順次生成する手順（計算機プログラムなど）を利用して組み合わせパターンが順次出力される形態を採っても良い。この処理については、リスト作成処理として、後に別図を用いて詳述する。
【００９０】
そして、ステップＳ１５００で、画質パラメータ適用部１２５は、後述する出力画像の画像要素を生成する処理を、パラメータリストの全ての組み合わせパターンについて終了したか否かを判断する。画質パラメータ適用部１２５は、未処理の組み合わせパターンが残っている場合には（Ｓ１５００：ＮＯ）、ステップＳ１６００に進む。
【００９１】
ステップＳ１６００で、画質パラメータ適用部１２５は、パラメータリストに基づいて、画像要素を生成（追加）する。具体的には、画質パラメータ適用部１２５は、パラメータリストの組み合わせパターンの１つを選択し、選択した組み合わせパターンに対応する処理内容を入力画像２１０に適用して、画像要素を生成する。そして、画質パラメータ適用部１２５は、生成した画像要素をメモリなどに格納し、ステップＳ１５００に戻る。
【００９２】
ステップＳ１５００、Ｓ１６００を繰り返し、パラメータリストの全ての組み合わせパターンについて、出力画像の画像要素の生成処理を終了すると、画質パラメータ適用部１２５は、ステップＳ１７００に進む。
【００９３】
ステップＳ１７００で、画質パラメータ適用部１２５は、ステップＳ１６００で生成した全ての画像要素を、汎用の表示装置（ここでは画像表示装置１３０）で利用可能な形式に変換して取りまとめた出力画像を生成する。そして、画質パラメータ適用部１２５は、生成した出力画像を、出力画像格納部１２６に格納する。出力画像の形式は、例えば、単なる複数の画像の集合とすれば良い。または、画像要素がＪＰＥＧ画像である場合には、個々の画像要素を動画の各コマとして扱うことにより、出力画像の形式を、ＭＰＥＧ動画像やモーションＪＰＥＧ（Motion JPEG）動画像などの汎用動画像フォーマットとしても良い。また、画質パラメータ適用部１２５は、個々の画像要素がどの組み合わせパターンに対応するかを後で容易に特定できるように、出力画像または個々の画像要素に対して、組み合わせパターンを示す付随情報を付加しても良い。
【００９４】
そして、ステップＳ１８００で、新たな出力画像を格納された出力画像格納部１２６は、出力画像を準備する。具体的には、出力画像格納部１２６は、格納された出力画像を保持し、画質指定情報に対応する画像要素または出力画像を、画像表示装置１３０に速やかに送信することが可能な状態にする。
【００９５】
このようにして、値選択肢を用意することが不要な画質パラメータについてはデフォルト値が適用され、この結果、画像要素の生成枚数が削減される。これにより、入力画像２１０が送信されてからプレビュー画像の表示に必要な全ての画像要素の生成が完了するまでに要する時間が短縮される。
【００９６】
次に、画質パラメータ適用部１２５によるリスト作成処理について詳述する。
【００９７】
図８は、画質パラメータ適用部１２５によるリスト作成処理（図７のステップＳ１４００）の流れの一例を示すフローチャートである。
【００９８】
まず、ステップＳ１４０１で、画質パラメータ適用部１２５は、画質パラメータの種別を１つ選択する。
【００９９】
そして、ステップＳ１４０２で、画質パラメータ適用部１２５は、選択されている画質パラメータが削減対象であるか否かを判断する。画質パラメータ適用部１２５は、選択されている画質パラメータが削減対象ではない場合には（Ｓ１４０２：ＮＯ）、ステップＳ１４０３に進み、選択されている画質パラメータが削減対象である場合には（Ｓ１４０２：ＹＥＳ）、ステップＳ１４０４に進む。
【０１００】
ステップＳ１４０３で、画質パラメータ適用部１２５は、選択されている画質パラメータに、調整範囲テーブル３１０（図４参照）に規定されている最小値をセットする。
【０１０１】
そして、ステップＳ１４０５で、画質パラメータ適用部１２５は、選択されている画質パラメータの現在の値を、パラメータリストに追加する。
【０１０２】
そして、ステップＳ１４０６で、画質パラメータ適用部１２５は、選択されている画質パラメータの現在の値に、調整範囲テーブル３１０に規定されているステップ量を加算する。
【０１０３】
そして、ステップＳ１４０７で、画質パラメータ適用部１２５は、選択されている画質パラメータの現在の値が、調整範囲テーブル３１０に規定されている最大値以下であるか否かを判断する。画質パラメータ適用部１２５は、選択されている画質パラメータの現在の値が最大値以下の場合には（Ｓ１４０７：ＹＥＳ）、ステップＳ１４０５に戻り、上記値が最大値を超えるまで処理を繰り返す。これにより、画質パラメータ適用部１２５は、選択されている画質パラメータが採り得る値の全てを、パラメータリストに追加する。画質パラメータ適用部１２５は、選択されている画質パラメータの現在の値が最大値を超えた場合には（Ｓ１４０７：ＮＯ）、ステップＳ１４０８に進む。
【０１０４】
一方、ステップＳ１４０４で、画質パラメータ適用部１２５は、選択されている画質パラメータに、画質パラメータデフォルト決定部１２４により決定されたデフォルト値を、パラメータリストに追加して、ステップＳ１４０８に進む。これにより、削減対象については、デフォルト値のみがパラメータリストに追加される。
【０１０５】
ステップＳ１４０８で、画質パラメータ適用部１２５は、未処理の画質パラメータの種別が残っているか否かを判断する。画質パラメータ適用部１２５は、パラメータリストへの追加の処理を行っていない画質パラメータの種別が残っている場合には（Ｓ１４０８：ＹＥＳ）、ステップＳ１４０１に戻り、未処理の画質パラメータの種別を１つ選択して、処理を繰り返す。一方、全ての画質パラメータの種別についてパラメータリストへの追加の処理を完了した場合には（Ｓ１４０８：ＮＯ）、画質パラメータ適用部１２５は、図７の処理に戻る。
【０１０６】
このようにして、各画質パラメータについて、採り得る値の全て（但し削減対象についてはデフォルト値のみ）がパラメータリストに追加される。このように画質パラメータごとに採り得る値が取得される場合には、画質パラメータ適用部１２５は、各画質パラメータが採り得る値の全ての組み合わせパターンを生成し、パラメータリストを完成させれば良い。
【０１０７】
なお、画質パラメータ適用部１２５は、各画質パラメータの値を変化させながら、組み合わせパターンを順次生成していくようにしても良い。この場合には、各画質パラメータの種別ごとに値を変化させていく処理を、重ね合わせれば良い。
【０１０８】
図９は、図５に示す削減対象テーブル３２０−１が適用される場合、つまり明度および色温度が削減対象である場合の、リスト作成処理他の例における具体的な処理の流れの一例を示す図である。
【０１０９】
まず、ステップＳ２０１０で、画質パラメータ適用部１２５は、明度は削減対象であることから、明度に、調整範囲テーブル３１０（図４参照）に規定されるデフォルト値５０をセットする。
【０１１０】
そして、ステップＳ２０２０で、画質パラメータ適用部１２５は、コントラストに、調整範囲テーブル３１０に規定される最小値０をセットし、ステップＳ２０３０で、コントラストの現在の値が、調整範囲テーブル３１０に規定される最大値９０以下であるか否かを判断する。画質パラメータ適用部１２５は、コントラストの現在の値が最大値９０以下である場合には（Ｓ２０３０：ＹＥＳ）、ステップＳ２０４０で、彩度に、調整範囲テーブル３１０に規定される最小値０をセットする。
【０１１１】
以下同様にして、画質パラメータ適用部１２５は、各画質パラメータに対して、削減対象についてはデフォルト値にセットし、そうでないものに最小値をセットしていく（ステップＳ２０３０〜Ｓ２１００）。
【０１１２】
そして、ステップＳ２１１０で、画質パラメータ適用部１２５は、明度、コントラスト、彩度、色温度、シャープネス、ノイズリダクションの現在の値の組み合わせを、パラメータリストに追加する。
【０１１３】
そして、ステップＳ２１２０で、画質パラメータ適用部１２５は、ノイズリダクションの現在の値に、調整範囲テーブル３１０に規定されるステップ量１を加算し、ステップＳ２１００に戻る。そして、ステップＳ２１００〜Ｓ２１２０の処理を繰り返してノイズリダクションの値が最大値を超えると（Ｓ２１００：ＮＯ）、画質パラメータ適用部１２５は、ステップＳ２１３０に進む。ステップＳ２１３０で、画質パラメータ適用部１２５は、シャープネスの現在の値に、調整範囲テーブル３１０に規定されるステップ量１を加算し、ステップＳ２０８０に戻る。
【０１１４】
以下同様にして、画質パラメータ適用部１２５は、処理が同じ箇所を通るごとに該当する画質パラメータの値をステップ量だけ変更し、最大値以下であれば引き続き同じ処理を継続する。つまり、画質パラメータ適用部１２５は、ループ処理を行う。画質パラメータ適用部１２５は、最大値を超えた場合はループを終了し、外側のループ（他の画質パラメータ種別についての値変更の処理）を繰り返す。
【０１１５】
ループの最も内側では、各画質パラメータの新たな組み合わせパターンがパラメータリストに追加される。この結果、この例では１万通りの組み合わせパターンがパラメータリストに登録される。削減対象の選択とデフォルト決定を行わない場合には１００万通りの組み合わせパターンが必要であり、この場合と比較すると、パラメータリスト作成に要する処理量が約１００分の１に減少される事が分かる。
【０１１６】
そして、画質パラメータ適用部１２５は、最も外側にあるループの処理（この例ではコントラストについての値変更の処理）を終了した時点で（ステップＳ２０３０：ＮＯ）、図７の処理に戻る。
【０１１７】
図９に示す処理の具体的な実現には、計算機プログラムにおける公知の多重ループを利用すれば良い。
【０１１８】
なお、画質パラメータ適用部１２５が、図９に示すリスト作成処理を実行する場合には、図７のステップＳ１５００、Ｓ１６００を例えばステップＳ２１１０の処理に統合し、ループ処理の中で画像要素を生成（追加）しても良い。
【０１１９】
このようにして出力画像が準備されると、送受信部１２７は、画像表示装置１３０から画質指定情報が送られてくるごとに、対応する出力画像の画像要素を出力画像格納部１２６から読み出して、画像表示装置１３０に返送する。または、送受信部１２７は、出力画像を出力画像格納部１２６から読み出して、一括で画像表示装置１３０に送信する。この結果、ユーザは、入力画像２１０を送信した後、速やかにプレビュー画像の画質を確認しながら画質パラメータの値を調整し、最終的に所望の画質に対応する画質パラメータの値を指定することができる。
【０１２０】
また、送受信部１２７は、画像表示装置１３０から画質決定情報が送られてくると、その画質決定情報が示す画質調整内容を、入力画像格納部１２１に格納された入力画像２１０に施して、目的画像２４０を生成する。そして、送受信部１２７は、生成した目的画像２４０を、画像出力機器群１４０に送信する。この結果、ユーザは、画質調整ツールを特に用意することなく、自宅に居ながら、所望の画質に調整された目的画像２４０を、少ない待ち時間による操作で速やかに入手することができる。
【０１２１】
以上説明したように、本実施の形態によれば、画質パラメータのうち、設定値によらずに画像表示装置１３０において画像データが同一または類似の画質で表示され得る画質パラメータについては、デフォルト値を適用して、プレビュー画像の基となる画像データを生成する。これにより、本来提示すべき画質調整の選択の幅を狭めることなく、画質パラメータの値の組み合わせ数を削減することができ、プレビュー画像の基となる画像データの生成枚数を大幅に削減する事ができる。これにより、出力画像の生成に必要な計算量、処理時間をともに大幅に削減する事ができ、画質調整の選択の幅を極力狭めずに、プレビュー画像が表示されるまでに要する最大時間を短縮することができる。
【０１２２】
また、ユーザがプレビュー画像を表示する画像表示装置１３０そのものには画像要素や目的画像を生成する機能を備える必要が無い。これにより、ユーザ側で特別な装置を用意することなく、また、ユーザが所有する装置に特に処理負荷を掛けることなく、ユーザが所望する画質の目的画像をユーザに提供することができる。すなわち、本発明は、処理時間の削減と処理の分散とが可能であるため、画質調整を行う処理主体とユーザの要求に応じてプレビュー画像を表示する処理主体とが分離されているシステムに特に好適である。
【０１２３】
（実施の形態２）
実施の形態２では、プレビュー画像として本来提示すべき画質調整の選択肢の少なくとも一部を、画像表示装置側での表示調整で実現する。
【０１２４】
近年、テレビジョンなどの一般的な画像表示装置には、通常、明るさを変化させる調整機能や、コントラストを変化させる調整機能など、表示画像の画質を調整する機能が備えられている。したがって、画像生成装置１２０でのプレビュー画像表示のための画質調整を、画像表示装置での表示調整で補填することにより、画像要素の生成枚数を削減することが可能である。
【０１２５】
図１０は、本実施の形態に係る画像表示装置の構成を示すブロック図である。ここでは、本実施の形態に係る画像表示装置が、実施の形態１の画像処理システム１００の画像表示装置１３０として用いられているものとして説明を行う。但し、画像生成装置１２０は、プレビュー画像表示のために生成した画像要素の集合（以下「画像集合」）と、その画像集合の個々の画像要素に対応する各画質パラメータの値（以下「画質パラメータ情報」という）とを、画像表示装置に送信するものとする。
【０１２６】
図１０において、画像表示装置４３０は、送受信部４３１、画像格納部４３２、表示パラメータ決定部４３３、画像選択部４３４、画像表示部４３５、および表示調整部４３６を有する。
【０１２７】
送受信部４３１は、情報通信ネットワーク１５０に接続し、情報通信ネットワーク１５０を介して、例えば実施の形態１の画像生成装置１２０と通信を行う。送受信部４３１は、画像生成装置１２０から、画像集合と、これに付随する画質パラメータ情報とを受信したとき、受信した画像集合および画質パラメータ情報を、後述する画像格納部４３２に格納する。
【０１２８】
画像格納部４３２は、送受信部４３１により格納された画像集合および画質パラメータ情報を保持する。
【０１２９】
図１１は、画像集合とこれに付随する画質パラメータ情報の内容の一例を示す図である。
【０１３０】
図１１に示すように、画像集合２２１は、画質調整内容の異なる複数の画像要素２２２−１〜２２２−５により構成される。画像集合の最も好適な例は、実施の形態１に示した、画像生成装置１２０で生成される出力画像である。画像要素２２２−１〜２２２−５には、対応する各画質パラメータの値を示す情報として、画質パラメータ情報２２３−１〜２２３−５がそれぞれ関連付けられている。この関連付けには、予め定められたデータの配列順序または番号付けなどの公知の識別技術が用いられる。
【０１３１】
ここでは、画像生成装置１２０で、明度、彩度、色温度、シャープネス、ノイズリダクションの画質パラメータに、デフォルト値５０、１０、５５００Ｋ、３、１がそれぞれ設定され、コントラストにのみ複数の値選択肢が設定された場合を図示している。この場合、例えば、ユーザが明度を「８０」とした場合のプレビュー画像を所望したとしても、該当する画像要素２２２は存在しない。
【０１３２】
そこで、本実施の形態の画像表示装置１３０は、ユーザが表示目的とする画質パラメータの値に最も近い画質調整内容に対応する画像要素を、プレビュー画像として表示し、その際、表示調整により、プレビュー画像を、本来表示されるべきプレビュー画像の画質に近付ける。
【０１３３】
図１０の表示パラメータ決定部４３３は、画像生成装置１２０が保持する調整範囲テーブル３１０（図４参照）と同一の内容のテーブルを保持しており、テーブルが規定する画質パラメータの値選択肢を、ユーザに提示する。そして、表示パラメータ決定部４３３は、ユーザが指定した画質調整内容を示す画質指定情報を取得し、取得した画質指定情報に最も近い内容の画質パラメータ情報２２３が関連付けられた画像要素２２２を、読み出すべき画像（以下「プレビュー使用画像」という）に決定する。そして、表示パラメータ決定部４３３は、決定結果を、画像選択部４３４に出力するとともに、取得した画質指定情報と、プレビュー使用画像に対応する画質パラメータ情報２２３（以下「使用パラメータ情報」という）を示す情報とを、表示調整部４３６に出力する。
【０１３４】
具体的には、表示パラメータ決定部４３３は、各画質パラメータの値の調整をユーザから受け付けるためのユーザインタフェースを生成し、ディスプレイに表示する。そして、ユーザインタフェースで調整された各画質パラメータの値を、画質指定情報として取得する。
【０１３５】
図１２は、画質パラメータの値の調整を受け付けるためのユーザインタフェースの構成の一例を示す図である。
【０１３６】
図１２に示すように、ユーザインタフェース５１０は、画質パラメータの値を個別に指定するための画質パラメータ指定領域５１１と、画質パラメータ指定領域５１１で指定された画質パラメータの値に対応するプレビュー画像を表示するためのプレビュー領域５１２とを有する。
【０１３７】
画質パラメータ指定領域５１１には、画質パラメータごとに、左右に伸びた棒状のオブジェクトに重ねられたつまみ状のオブジェクト（スライダ）が表示されている。画質パラメータ指定領域５１１では、スライダを棒状のオブジェクト上で動かすことにより、各画質パラメータの値を任意に指定することができるようになっている。
【０１３８】
画質パラメータの選択およびスライダの移動は、例えば、図１のリモートコントローラ１３０ａに備えられた上下左右の入力を受付ける十字型ボタンの操作や、パーソナルコンピュータなどで広く使用されるマウスなどのポインティングデバイスの操作によって実現される。例えば、表示パラメータ決定部４３３は、上下方向の操作を画質パラメータの選択に割り当て、左右方向の操作をスライダの移動に割り当てれば良い。また、画像生成装置１２０の調整範囲テーブル３１０（図４参照）に規定されているように、画質パラメータが取り得る値として離散的な値が設定されている場合には、表示パラメータ決定部４３３は、設定された離散的な値のみを取るようにスライダの移動を制限しても良い。
【０１３９】
また、表示パラメータ決定部４３３は、ユーザインタフェース５１０で画質パラメータの値が指定された状態で、リターンキー（図示せず）の押下などの決定操作が行われると、ユーザインタフェース５１０で指定されている内容を、画質決定情報として取得する。そして、表示パラメータ決定部４３３は、送受信部４３１を介して、取得した画質決定情報を、画像生成装置１２０に送信する。
【０１４０】
図１０の画像選択部４３４は、表示パラメータ決定部４３３により決定されたプレビュー使用画像を、画像格納部４３２が保持する画像集合２２１から選択して読み出し、画像表示部４３５に出力する。画像選択部４３４は、例えば、画像集合がＪＰＥＧ画像集合である場合には、単純に該当する画像要素を取り出し、画像集合が計算機のファイルシステムを用いて管理されている場合には、指定のフォルダから該当する画像要素をファイルとして読み出す。また、画像選択部４３４は、例えば、画像集合が動画像である場合には、公知の、動画の一部を静止画像として抽出する技術、つまり動画キャプチャの仕組みを用いて、動画像から画像要素２２２を選択する。
【０１４１】
画像表示部４３５は、入力された画像要素２２２を、図１２に示すユーザインタフェースのプレビュー領域５１２に表示する。
【０１４２】
表示調整部４３６は、画像表示部４３５によりプレビュー領域５１２に表示されるプレビュー画像に対し、画質指定情報と使用パラメータ情報との差異を補填する表示調整を行う。具体的には、表示調整部４３６は、表示調整部４３６で表示調整が可能な画質パラメータについて、値の差異ごとに、その差異と同等の画質変化をプレビュー画像に与える表示画質の調整値を記述した表示調整参照テーブルを予め格納する。そして、表示調整部４３６は、画質指定情報の画質パラメータの値と使用パラメータ情報の画質パラメータの値との差異を算出し、表示調整参照テーブルを参照して、プレビュー画像の表示に適用する表示画質の調整値を決定する。
【０１４３】
図１３は、表示調整参照テーブルの内容の一例を示す図である。ここでは、明度についての表示調整参照テーブルのみを図示するが、表示調整部４３６は、表示調整部４３６で表示調整が可能であって画像生成装置１２０側で削減対象とする可能性のある画質パラメータの全てについて、表示調整参照テーブルを有しているものとする。
【０１４４】
図１３に示すように、明度の表示調整参照テーブル５２０は、パラメータ差異５２１と、表示調整情報５２２とから構成される。パラメータ差異５２１は、目標とする画質パラメータの値と、実際に表示の対象となる画像要素の画質パラメータの値との差異である。表示調整情報５２２は、表示画質を決定するパラメータの調整値を示す情報であり、パラメータ差異５２１を補填し、目標とする画質パラメータの値に対応する画質でプレビュー画像を表示させるための値である。パラメータ差異５２１に対応する表示調整情報５２２は、実験や経験から決定することができる。
【０１４５】
画像表示装置４３０は、図示しないが、ＣＰＵ、制御プログラムを格納したＲＯＭなどの記憶媒体、ＲＡＭなどの作業用メモリ、および通信回路などを有する。上記した各部の機能は、例えば、ＣＰＵが制御プログラムを実行することで実現される。
【０１４６】
以下、上記構成を有する画像表示装置４３０の動作について詳述する。
【０１４７】
図１４は、画像集合２２１および画質パラメータ情報２２３を受信してからプレビュー画像を切り替えて表示するまでの、画像表示装置４３０の動作の流れの一例を示すフローチャートである。
【０１４８】
まず、ステップＳ４１００で、画像格納部４３２は、入力された画像集合２２１および画質パラメータ情報２２３を準備する。具体的には、画像格納部４３２は、送受信部４３１が画像生成装置１２０から受信した画像要素２２２および画質パラメータ情報２２３を保持し、関連する他の各部に対し要求に応じて渡す事が可能な状態、または関連する他の各部からの読み出しが可能な状態にする。そして、画像格納部４３２は、上記準備が完了すると、その旨を関連する他の各部に通知する。
【０１４９】
そして、ステップＳ４２００で、表示パラメータ決定部４３３は、図１２に示すユーザインタフェースを表示させ、ユーザから画質パラメータの値の指定を受け付け、指定された値の組み合わせを、画質指定情報として取得する。
【０１５０】
そして、ステップＳ４３００で、表示パラメータ決定部４３３は、取得した画質指定情報に最も近い内容の画質パラメータ情報２２３を画像格納部４３２で検索し、該当する画質パラメータ情報２２３を、使用パラメータ情報に決定する。そして、表示パラメータ決定部４３３は、使用パラメータ情報に対応する画像要素２２２を、プレビュー使用画像に決定する。そして、表示パラメータ決定部４３３は、決定したプレビュー使用画像を画質パラメータ適用部１２５に通知するとともに、取得した画質指定情報と決定した使用パラメータ情報とを、表示調整部４３６に通知する。
【０１５１】
使用パラメータ情報の決定手法としては、例えば、画質パラメータの種別ごとに画質指定情報の値から使用パラメータ情報の値を減算し、減算値をその画質パラメータの最大調整範囲で割った値を求め、各画質パラメータの合計値が最小となる画質パラメータ情報２２３を決定すれば良い。また、上記したように画像要素の生成の前提に合わせてスライダの移動が制限されている場合には、画像生成装置１２０で削減対象に決定された画質パラメータにおいて値の差異が最小となる画質パラメータ情報２２３を、使用パラメータ情報に決定すれば良い。
【０１５２】
なお、プレビュー使用画像として読み出される画像要素２２２の画質は、あくまでも画質指定情報に最も近い画質調整内容に対応する画質であって、画質指定情報に対応する画質とは限らない。すなわち、プレビュー使用画像は、そのまま表示された場合、ユーザが指定した画質パラメータの値を適用した場合の画質に同一または類似の画質で表示されるとは限らない。
【０１５３】
そして、ステップＳ４４００で、画像選択部４３４は、表示パラメータ決定部４３３で決定されたプレビュー使用画像を、画像格納部４３２から読み出して、画像表示部４３５にプレビュー画像として表示させる。
【０１５４】
そして、ステップＳ４５００で、表示調整部４３６は、画質パラメータの種別ごとに表示調整情報を決定する。具体的には、画質調整部４３６は、画質パラメータの種別ごとに画質指定情報の値から使用パラメータ情報の値を減算して値の差異を求め、差異のある画質パラメータの表示調整参照テーブル５２０を参照し、対応する表示調整情報５２２を取得する。
【０１５５】
例えば、ユーザにより明度として指定された値が８０であり、受信した画像要素が図１１に示す画像要素２２２−１〜２２２−５の場合、明度について最も近い値を有する画質パラメータ情報２２３は、明度が「５０」である画質パラメータ情報２２３−１〜２２３−５の全てである。この場合、どの画質パラメータ情報２２３が使用パラメータ情報に決定されたとしても、明度における減算結果は３０であり、図１３に示す明度の表示調整参照テーブル５２０から、明度の表示調整情報として「４」が取得される。
【０１５６】
そして、ステップＳ４６００で、表示調整部４３６は、取得した表示調整情報を適用して、表示画像の画質調整を行う。この結果、プレビュー画像の表示画質も調整される。なお、表示調整は、自動で行っても良いし、ユーザに設定すべき調整値を提示し、ユーザの手動による調整を促すようにしても良い。
【０１５７】
このようにして、画像表示装置４３０では、画質指定情報に対応する画像要素２２２が存在しない場合でも、表示調整により、画質指定情報に対応する画質に同一または類似の画質で、プレビュー画像を表示させることができる。ユーザは、プレビュー表示（簡易確認画像表示）によって、画像生成装置１２０に送った入力画像２１０が、自己が指定する画質パラメータの値によって概ねどのような状態になるのか、視覚的に容易に把握することができる。
【０１５８】
そして、図１２に示すユーザインタフェース５１０で画質パラメータの値についての決定操作が行われると、画像表示装置４３０は、上記したように、画質決定情報を画像生成装置１２０に送信する。この結果、画像生成装置１２０から、例えば実施の形態１の画像出力機器群１４０に、ユーザが所望する画質の目的画像２４０が送られる。
【０１５９】
以上説明したように、本実施の形態では、画像生成装置１２０から受信した画像要素に、ユーザが指定する画質調整内容が適用された画像要素が存在しない場合には、最も近い画質調整内容が適用された画像要素を、プレビュー表示の対象とする。そして、表示調整により、ユーザにより指定された画質調整内容が適用されたときの画質と同一または類似の画質で表示する表示調整内容を適用する。これにより、画像生成装置１２０から受信した画像要素に適用されていない画質調整範囲を補償し、本来のプレビュー画像表示目的に沿った結果を、近似的に実現することができる。すなわち、ユーザに指定された画質調整内容の画質でのプレビュー表示を、画像要素の受信枚数が削減された状態においても実現することができるので、プレビュー画像の基となる画像データとして用意すべき画像要素の枚数を削減する事ができ、画質調整の選択の幅を極力狭めずに、プレビュー画像が表示されるまでに要する最大時間を短縮することができる。
【０１６０】
（実施の形態３）
実施の形態３では、削減対象に対し、表示装置での実質的な画質調整範囲（以下「表示範囲」という）ができるだけ広くなるようなデフォルト値を決定し、指定された画質調整内容の画質の再現性を向上させるようにする。
【０１６１】
本実施の形態の画像生成装置についての説明に先立って、まず、本実施の形態における表示範囲の最大化の原理について、明度の画質パラメータにデフォルト値が設定される場合を例として説明する。
【０１６２】
図１６は、明度の画質パラメータにデフォルト値が設定される場合の色域最大化の原理を模式的に示す図である。
【０１６３】
図１６において、サンプル明度最小値ＣＩＥｘｙＹ＿ＳＥｍｉｎ７４１は、画質パラメータの明度最小値（例えば図４に示した明度の最小値である「０」）を用いて標準画像から生成された画像要素を表示装置の標準画質設定状態で表示させたときに得られる絶対的な明度である。また、サンプル明度最大値ＣＩＥｘｙＹ＿ＳＥｍａｘ７４２は、画質パラメータの明度最大値（例えば図４に示した明度の最大値である「９０」）を用いて標準画像から生成された画像要素を表示装置の標準画質設定状態で表示させたときに得られる絶対的な明度である。標準画像は、例えば、反射率１８％のグレーカードなどの基準被写体を、カメラの設定と被写体を照らす光源とを標準値に設定して撮影した画像である。
【０１６４】
すなわち、サンプル明度最小値ＣＩＥｘｙＹ＿ＳＥｍｉｎ７４１からサンプル明度最大値ＣＩＥｘｙＹ＿ＳＥｍａｘ７４２までの範囲であるサンプル色域範囲７４３は、表示装置で表示可能であり、本来表示したい色域範囲を示す。言い換えると、サンプル色域範囲７４３は、標準画像に実際に各画質パラメータを適用して画像要素を得た時に再現されるべき結果範囲を示すものである。
【０１６５】
また、図１６において、枠で囲まれた各数値は、明度のデフォルト値の例を示す。表示明度最小値ＣＩＥｘｙＹ＿ＰＥｍｉｎ７４４は、標準画像の画像データにデフォルト値を適用して生成した画像要素を、表示装置の設定を明度が最小になるようにした状態で表示し、その結果から取得した明度である。また、表示明度最大値ＣＩＥｘｙＹ＿ＰＥｍａｘ７４５は、標準画像の画像データにデフォルト値を適用して生成した画像要素を、表示装置の設定を明度が最大になるようにした状態で表示し、その結果から取得した明度である。
【０１６６】
すなわち、表示明度最小値ＣＩＥｘｙＹ＿ＰＥｍｉｎ７４４から表示明度最大値ＣＩＥｘｙＹ＿ＰＥｍａｘ７４５までの色域範囲７４６は、標準画像の画像データにデフォルト値を適用した場合のデータ上の色域範囲である。理想的にカバーすべき色域範囲であるサンプル色域範囲７４３を実際の調整可能な範囲としてどれだけ実現できるかは、実質的な表示の色域範囲である表示色域範囲７４７の大きさによって決定される。
【０１６７】
ところが、実際には、サンプル色域範囲７４３以外の色域範囲は、表示装置において表示不可能である。また、図１６に示すように、表示明度最小値ＣＩＥｘｙＹ＿ＰＥｍｉｎ７４４から表示明度最大値ＣＩＥｘｙＹ＿ＰＥｍａｘ７４５までの色域範囲７４６は、明度のデフォルト値によっては、サンプル色域範囲７４３からはみ出してしまうことがある。したがって、上記した色域範囲７４６には、明度のデフォルト値に応じてサンプル色域範囲７４３に含まれており表示可能な色域範囲である表示色域範囲７４７と、サンプル色域範囲７４３に含まれておらず表示不可能な色域範囲７４８とが存在し得る。更に、上記した色域範囲７４６の大きさは、明度のデフォルト値に応じて異なる。
【０１６８】
すなわち、明度のデフォルト値に応じて、理想的にカバーすべき色域範囲に対する色域の再現率（以下「画質再現率」という）が異なる。画質再現率が異なるということは、明度以外の各画質パラメータについても同様である。
【０１６９】
そこで、本実施の形態に係る画像生成装置では、各画質パラメータに対して、画質再現率が最も大きくなるデフォルト値を求め、求められたデフォルト値を使用する。これにより、画像要素の生成枚数の削減に伴う画質再現率の低下の抑制を図る。
【０１７０】
以下、本実施の形態に係る画像生成装置の構成および動作について説明する。まず、画像生成装置の構成について説明する。
【０１７１】
図１５は、本発明の実施の形態３に係る画像生成装置の構成を示すブロック図であり、実施の形態１の図２に対応するものである。図２と同一部分には同一符号を付し、これについての説明を省略する。
【０１７２】
図１５において、画像生成装置６２０は、図２の画質パラメータデフォルト決定部１２４に代えて画質パラメータデフォルト決定部６２４を有し、更に再現色域計算部６２８を有する。
【０１７３】
画質パラメータ削減パラメータ選択部１２３は、表示調整を可能とする表示装置の種別ごとに、その表示調整が可能な画質パラメータを削減対象として記述した削減対象テーブル３２０を格納する。
【０１７４】
図１７（Ａ）〜図１７（Ｄ）は、それぞれ異なる表示装置の種別に対応する削減対象テーブルの内容の一例を示す図であり、実施の形態１の図５に対応するものである。
【０１７５】
図１７（Ａ）に示す削減対象テーブル３２０−４には、明度および色温度について表示調整が可能なＡ社製テレビジョンを画像要素の送信先としたときの削減対象が記述されている。図１７（Ｂ）に示す削減対象テーブル３２０−５には、明度、色温度、彩度、およびシャープネスについて表示調整が可能なＢ社製テレビジョンを画像要素の送信先としたときの削減対象が記述されている。図１７（Ｃ）に示す削減対象テーブル３２０−６には、明度、コントラスト、色温度、彩度、およびシャープネスについて表示調整が可能なＣ社製テレビジョンを画像要素の送信先としたときの削減対象が記述されている。図１７（Ｄ）に示す削減対象テーブル３２０−７には、明度、コントラスト、およびシャープネスについて表示調整が可能なＤ社製テレビジョンを画像要素の送信先としたときの削減対象が記述されている。
【０１７６】
このように、削減対象テーブル３２０は、表示装置側で調整が可能な画質パラメータを、削減対象として規定する。
【０１７７】
図１５の画質パラメータデフォルト決定部６２４は、再現色域計算部を用いて、画質パラメータ削減対象選択部１２３で選択された削減対象に適用するデフォルト値を決定し、決定結果を画質パラメータ適用部１２５に出力する。
【０１７８】
再現色域計算部６２８は、削減対象について、再現色域を最大となるデフォルト値、つまり削減対象のそれぞれで画質再現率が最大となるデフォルト値を計算から求める。そして、求めたデフォルト値を、削減対象に適用すべきデフォルト値として、画質パラメータデフォルト決定部６２４に出力する。具体的には、再現色域計算部６２８は、表示装置の種別ごとに、つまり図１７（Ａ）〜図１７（Ｄ）に示す削減対象テーブル３２０−１〜３２０−４のそれぞれに対応して、表示装置における表示画質の調整範囲に関する情報（以下「調整範囲情報」という）を保持する。そして、再現色域計算部６２８は、画質パラメータデフォルト決定部６２４からの要求に応じて、表示装置の種別に対応する調整範囲情報に基づいて、画質再現率が最大となるデフォルト値を求める。
【０１７９】
図１８は、調整範囲情報の内容の一例を示す図である。
【０１８０】
図１８に示すように、調整範囲情報７５０は、サンプル範囲情報７５１および表示範囲情報７５２により構成される。ここでは、図１７（Ａ）に示す削減対象テーブル３２０−４に対応する調整範囲情報７５０を示す。
【０１８１】
サンプル範囲情報７５１には、図１６で説明した、サンプル明度最小値ＣＩＥｘｙＹ＿ＳＥｍｉｎおよびサンプル明度最大値ＣＩＥｘｙＹ＿ＳＥｍａｘが記述されている。サンプル範囲情報７５１には、更に、サンプル色温度最小値ＣＩＥｘｙＹ＿ＳＷｍｉｎおよびサンプル色温度最大値ＣＩＥｘｙＹ＿ＳＷｍａｘが記述されている。サンプル色温度最小値ＣＩＥｘｙＹ＿ＳＷｍｉｎは、画質パラメータの色温度最小値を用いて標準画像から生成された画像要素を表示装置の標準画質設定状態で表示させたときに得られる絶対的な色温度である。サンプル色温度最大値ＣＩＥｘｙＹ＿ＳＷｍａｘは、画質パラメータの色温度最大値を用いて標準画像から生成された画像要素を表示装置の標準画質設定状態で表示させたときに得られる絶対的な色温度である。
【０１８２】
すなわち、サンプル範囲情報７５１には、表示装置で表示可能であり、本来表現したい画質調整範囲が記述される。
【０１８３】
表示範囲情報７５２には、図１６で説明した、表示明度最小値ＣＩＥｘｙＹ＿ＰＥｍｉｎおよび表示明度最大値ＣＩＥｘｙＹ＿ＰＥｍａｘが記述されている。表示範囲情報７５２には、更に、表示色温度最小値ＣＩＥｘｙＹ＿ＰＷｍｉｎおよび表示色温度最大値ＣＩＥｘｙＹ＿ＰＷｍａｘが記述されている。表示色温度最小値ＣＩＥｘｙＹ＿ＰＷｍｉｎは、標準画像の画像データにデフォルト値を適用して生成した画像要素を、表示装置の設定を色温度が最小になるようにした状態で表示し、その結果から取得した色温度である。表示色温度最大値ＣＩＥｘｙＹ＿ＰＷｍａｘは、標準画像の画像データにデフォルト値を適用して生成した画像要素を、表示装置の設定を色温度が最大になるようにした状態で表示し、その結果から取得した色温度である。
【０１８４】
すなわち、表示範囲情報７５２には、画像データに各デフォルト値を適用した場合のそれぞれのデータ上の画質調整範囲が記述される。
【０１８５】
表示範囲情報７５２には、デフォルト値ごとに、対応する値が記述されているものとする。すなわち、例えば明度のデフォルト値として採り得る値が、「０、１０、２０、３０、４０、５０、６０、７０、８０、９０」の１０通りである場合、表示明度最小値ＣＩＥｘｙＹ＿ＰＥｍｉｎには１０通りの値が記述される。
【０１８６】
調整範囲情報７５０に記述される上記各数値は、例えば、国際照明委員会が定める表色系の標準規格で表現される。国際照明委員会が定める表色系の標準規格は、色合い、彩度、明度を全て含めた色そのものを色度という座標系で絶対的に表現するものである。従って、この標準規格に準拠した表現を用いることにより、表示装置や表示方法が異なる場合でも、色度が同一であれば科学的に全く同一の色と識別することができる。なお、ＣＩＥｘｙＹはＣＩＥ表色系の一種であり、ｘとｙが明度を除く色度座標を、Ｙが明度を表す。これらの値は公知の色彩計を用いて、表示対象から直接採取することが出来る。
【０１８７】
調整範囲情報７５０は、例えば実験に基づいて作成したものを、画像生成装置６２０を実運用する前に格納しておくことが望ましい。
【０１８８】
なお、調整範囲情報７５０は、各色度値として、図１８に示すようにＣＩＥｘｙＹ座標系で示させる値を直接格納しても良いが、明度の場合は明度を示すＹ値（輝度値）、色温度の場合はｘｙ座標から黒体軌跡上に近似したＫ値（ケルビン値）に変換した値を格納しても良い。この場合には、数値の大小関係の比較が容易になる。
【０１８９】
なお、再現色域計算部６２８は、調整範囲情報７５０に記述されたＣＩＥ表色系の値を、数値の大小を比較し易い他の値に変換して、比較演算に用いても良い。
【０１９０】
以下、上記構成を有する画像生成装置６２０の動作について詳述する。
【０１９１】
図１９は、画像集合２２１および画質パラメータ情報２２３を受信してからプレビュー画像を切り替えて表示するまでの、画像生成装置６２０の動作の流れの一例を示すフローチャートであり、実施の形態１の図７に対応するものである。図７と同一部分には同一ステップ番号を付し、これについての説明を省略する。
【０１９２】
画質パラメータデフォルト決定部６２４は、図７のステップＳ１３００に代えて、ステップＳ１３１０で、再現色域計算部６２８を用いて削減対象に割り当てるデフォルト値を決定する。再現色域計算部６２８が実行する処理について、デフォルト値決定処理として、別図を用いて説明する。
【０１９３】
図２０は、再現色域計算部６２８によるデフォルト値決定処理（図１９のステップＳ１３１０）の流れの一例を示すフローチャートである。
【０１９４】
まず、ステップＳ６３０１で、再現色域計算部６２８は、削減対象を１つ選択し、調整範囲情報７５０から、対応するサンプル最小値およびサンプル最大値を読み込む。
【０１９５】
そして、ステップＳ６３０２で、再現色域計算部６２８は、初期値として、デフォルト候補値とデフォルト値にデフォルト値として採り得る値の最小値をセットし、画質再現率に０をセットする。
【０１９６】
ここでのデフォルト値は、選択されている削減対象に適用すべきデフォルト値を決定するための変数であり、選択されている削減対象に適用すべきデフォルト値の一時的な記憶場所である。デフォルト候補値は、デフォルト値として採り得る値を切り替えて計算に用いるための変数であり、最終的にデフォルト値を得るための一時的な記憶場所である。ここでの画質再現率は、デフォルト候補値ごとの画質再現率の大小を比較するための変数であり、その時の再現色域カバー率、つまり、どれだけの画質再現率が得られるかを、一時的に記憶する場所である。
【０１９７】
そして、ステップＳ６３０３で、再現色域計算部６２８は、現在のデフォルト候補値が、選択されている削減対象においてデフォルト値が採り得る最大値以下であるか否かを判断する。再現色域計算部６２８は、現在のデフォルト候補値が最大値以下である場合には（Ｓ６３０３：ＹＥＳ）、ステップＳ６３０４に進む。初期状態では、デフォルト候補値は最小値であるため、再現色域計算部６２８は、必ずステップＳ６３０４に進む。
【０１９８】
ステップＳ６３０４で、再現色域計算部６２８は、調整範囲情報７５０を参照し、選択されている削減対象について、現在のデフォルト候補値に対応する表示最小値および表示最大値を読み込む。
【０１９９】
そして、ステップＳ６３０５で、再現色域計算部６２８は、ステップＳ６３０４で読み込んだ表示最小値と、ステップＳ６３０１で読み込んだサンプル最小値とを比較し、値が異なる場合には大きい方を実効最小値とし、値が同一の場合はその値を実効最小値とする。すなわち、実効最小値とは、現在のデフォルト候補値を選択されている削減対象のデフォルト値として適用した場合の、該当する画質パラメータの表示装置での実効値の最小値である。
【０２００】
そして、ステップＳ６３０６で、再現色域計算部６２８は、ステップＳ６３０４で読み込んだ表示最大値と、ステップＳ６３０１で読み込んだサンプル最大値とを比較し、値が異なる場合には小さい方を実効最大値とし、値が同一の場合にはその値を実効最小値とする。すなわち、実効最大値とは、現在のデフォルト候補値を選択されている削減対象のデフォルト値として適用した場合の、該当する画質パラメータの表示装置での実効値の最大値である。
【０２０１】
そして、ステップＳ６３０７で、再現色域計算部６２８は、実効値の幅をサンプル値の幅で除した値を算出し、算出値を再現率候補値に格納する。再現率候補値は、画質再現率の候補となる値を格納するための変数であり、その時点における画質再現率の最大値の一時的な記憶場所である。再現色域計算部６２８は、具体的には、例えば以下の式（１）を用いて、再現率候補値を算出する。
再現率候補値＝ 実効値の幅／サンプル値の幅
＝（実効最大値−実効最小値）／（サンプル最大値−サンプル最小値）
・・・・・・（１）
【０２０２】
そして、ステップＳ６３０８で、再現色域計算部６２８は、現在の再現率候補値が、現在の画質再現率よりも大きいか否かを判断する。再現色域計算部６２８は、現在の再現率候補値が現在の画質再現率よりも大きい場合には（Ｓ６３０８：ＹＥＳ）、ステップＳ６３０９に進み、現在の再現率候補値が現在の画質再現率以下である場合には（Ｓ６３０８：ＮＯ）、ステップＳ６３０９の次のステップＳ６３１０に進む。
【０２０３】
ステップＳ６３０９で、再現色域計算部６２８は、画質再現率に、現在の再現率候補値をセットし、デフォルト値に、現在のデフォルト候補値をセットして、ステップＳ６３１０に進む。
【０２０４】
ステップＳ６３１０で、再現色域計算部６２８は、デフォルト候補値に、調整範囲テーブル３１０（図４参照）に規定されているステップ量を加算し、ステップＳ６３０３に戻る。
【０２０５】
すなわち、デフォルト候補値を最小値から最大値へと変化させていく過程で、過去のデフォルト候補値におけるどの再現率候補値よりも高い再現率候補値が得られた場合に、その再現率候補値およびデフォルト候補値が、それぞれ画質再現率およびデフォルト値にセットされる。したがって、ステップＳ６３０３〜Ｓ６３１０を繰り返して最終的にデフォルト値にセットされている値が、画質再現率が最大となるデフォルト値ということになる。再現色域計算部６２８は、ステップＳ６３０３〜Ｓ６３１０を繰り返し、最終的に現在のデフォルト候補値が最大値を超えた場合には（Ｓ６３０３：ＮＯ）、ステップＳ６３１１に進む。
【０２０６】
ステップＳ６３１１で、再現色域計算部６２８は、選択されている削減対象に適用すべきデフォルト値を、現在のデフォルト値に決定し、決定結果を画質パラメータデフォルト決定部６２４に渡す。
【０２０７】
そして、ステップＳ６３１２で、再現色域計算部６２８は、未処理の削減対象が存在するか否かを判断する。再現色域計算部６２８は、未処理の削減対象が存在する場合には（Ｓ６３１２：ＹＥＳ）、ステップＳ６３０１に戻り、未処理の削減対象を選択して処理を繰り返す。再現色域計算部６２８は、全ての削減対象についてデフォルト値を決定すると（Ｓ６３１２：ＮＯ）、図１９の処理に戻る。
【０２０８】
このようにして、画質再現率が最も高くなる値が、削減対象に適用するデフォルト値として決定される。表示装置で実際に再現される色域は、各画質パラメータにそれぞれの実効値の領域を適用したものである。したがって、上記デフォルト値決定処理により、再現色域が最も広くなるデフォルト値が、各削減対象に決定されることになる。
【０２０９】
ここで、選択されている削減対象が明度である場合を例として、デフォルト値決定処理による具体的な処理の流れについて説明する。
【０２１０】
図２１は、削減対象が明度である場合の、デフォルト値決定処理のステップＳ６３０１〜Ｓ６３１１における具体的な処理の流れの一例を示すフローチャートである。
【０２１１】
まず、ステップＳ７０１０で、再現色域計算部６２８は、調整範囲情報７５０（図１８参照）から、サンプル明度最小値ＣＩＥｘｙＹ＿ＳＥｍｉｎおよびサンプル明度最大値ＣＩＥｘｙＹ＿ＳＥｍａｘを読み込む。
【０２１２】
そして、ステップＳ７０２０〜Ｓ７０４０で、再現色域計算部６２８は、デフォルト候補値およびデフォルト値に、調整範囲テーブル３１０に規定される最小値０をそれぞれセットし、明度の画質再現率を示すＴｃｏｖｅｒａｇｅにも０をセットする。
【０２１３】
そして、ステップＳ７０５０で、再現色域計算部６２８は、明度のデフォルト候補値が、調整範囲テーブル３１０に規定される最大値９０以下であるか否かを判断し、最大値９０以下である場合には（Ｓ７０５０：ＹＥＳ）、ステップＳ７０６０に進む。
【０２１４】
ステップＳ７０６０で、再現色域計算部６２８は、調整範囲情報７５０（図１８参照）から、表示明度最小値ＣＩＥｘｙＹ＿ＰＥｍｉｎおよび表示明度最大値ＣＩＥｘｙＹ＿ＰＥｍａｘのうち、現在のデフォルト候補値に対応する値を読み込む。
【０２１５】
そして、ステップＳ７０７０で、再現色域計算部６２８は、表示明度最小値ＣＩＥｘｙＹ＿ＰＥｍｉｎのうち現在のデフォルト候補値に対応する値と、サンプル明度最小値ＣＩＥｘｙＹ＿ＳＥｍｉｎとを比較し、大きい方を実効最小値Ｔｍｉｎに決定する。
【０２１６】
そして、ステップＳ７０８０で、再現色域計算部６２８は、表示明度最大値ＣＩＥｘｙＹ＿ＰＥｍａｘのうち現在のデフォルト候補値に対応する値と、サンプル明度最大値ＣＩＥｘｙＹ＿ＳＥｍａｘとを比較し、小さい方を実効最大値Ｔｍａｘに決定する。
【０２１７】
そして、ステップＳ７０９０で、再現色域計算部６２８は、明度の再現率候補値であるＴｃｏｖｅｒａｇｅ１を算出する。再現色域計算部６２８は、Ｔｃｏｖｅｒａｇｅ１を、例えば以下の式（２）の計算により求める。
Tcoverage1 ＝ （Tmax − Tmin）／（CIExyY_SEmax− CIExyY_SEmin）
・・・・・・（２）
【０２１８】
そして、ステップＳ７１００で、再現色域計算部６２８は、明度の再現率Ｔｃｏｖｅｒａｇｅが明度の再現率候補値Ｔｃｏｖｅｒａｇｅ１よりも大きいか否かを判断する。再現色域計算部６２８は、ＴｃｏｖｅｒａｇｅがＴｃｏｖｅｒａｇｅ１よりも大きい場合には（Ｓ７１００：ＹＥＳ）、ステップＳ７１１０に進み、ＴｃｏｖｅｒａｇｅがＴｃｏｖｅｒａｇｅ１以下である場合には（Ｓ７１００：ＮＯ）、ステップＳ７１３０に進む。
【０２１９】
ステップＳ７１１０で、再現色域計算部６２８は、現在の明度の再現率候補値Ｔｃｏｖｅｒａｇｅ１を明度の再現率Ｔｃｏｖｅｒａｇｅにセットする。
【０２２０】
そして、ステップＳ７１２０で、再現色域計算部６２８は、現在の明度のデフォルト候補値を、明度のデフォルト値にセットする。
【０２２１】
そして、ステップＳ７１３０で、再現色域計算部６２８は、明度のデフォルト候補値に、整範囲テーブル３１０（図４参照）に規定されるステップ量１０を加算し、ステップＳ７０５０に戻る。
【０２２２】
再現色域計算部６２８は、上記したステップＳ７０５０〜Ｓ７１３０の処理を、明度の値選択肢の数だけ、つまり１０回繰り返すと、明度のデフォルト候補値が明度の最大値９０を超えるので、一連の処理を終了する。
【０２２３】
このように、本実施の形態によれば、デフォルト候補値のそれぞれについて実効値の幅を計算することにより、出力画像をプレビュー画像として表示する表示装置の再現色域を計算し、再現色域が最大となるデフォルト値を、削減対象に適用する。これにより、画質パラメータの削減により色域が失われる場合でも、失われた色域を可能な限り再現し、画質パラメータを削減しない場合の本来の再現色域復元に近づけることができる。したがって、色域が失われないように画質パラメータの削減を制限する場合に比べて、画像要素の生成枚数を削減することができ、入力画像２１０を受信してからプレビュー画像が表示されるまでの時間の更なる短縮化を図ることができる。
【０２２４】
（実施の形態４）
実施の形態４では、ユーザの画質指定情報そのものに基づいて、プレビュー画像として本来提示すべき画質調整の選択肢の少なくとも一部を、画像表示装置側での表示調整で実現する。
【０２２５】
図２２は、本発明の実施の形態４に係る画像表示装置の構成を示すブロック図であり、実施の形態２の図１０と対応するものである。図１０と同一部分には同一符号を付し、これについての説明を省略する。
【０２２６】
図２２において、画像表示装置８３０は、図１０の表示調整部４３６に代えて表示調整部８３６を有し、更に、リニア対応参照テーブル格納部８３７を有する。
【０２２７】
リニア対応参照テーブル格納部８３７は、画質調整内容の選択肢に対応付けて、その画質調整内容を適用したときの画質と同等の画質でプレビュー画像を表示させる表示調整内容を対応付けた、リニア対応参照テーブルを格納する。
【０２２８】
図２３は、リニア対応参照テーブル格納部８３７に格納されるリニア対応参照テーブルの内容を示す図である。ここでは、明度に対応するリニア対応参照テーブルと、色温度に対応するリニア対応参照テーブルのみを図示する。
【０２２９】
図２３に示すように、リニア対応参照テーブル９００には、画質パラメータとして採り得る値に対応付けて、調整項目ごとの調整内容がそれぞれ記述されている。各調整項目に記述された調整内容は、各調整項目の調整内容を全て適用したとき、対応する値を画質パラメータに設定したときの画質と同一または類似の画質でプレビュー画像を表示させる調整内容である。具体的には、各調整項目には、例えば表示調整のために画像表示装置８３０に用意されているパラメータの具体的な調整値が記述される。
【０２３０】
明度に対応するリニア対応参照テーブル９００−１には、明度として採り得る値に対応付けて、ブライトネス調整、コントラスト調整、およびガンマ調整という複数の調整項目について、調整内容がそれぞれ記述されている。
【０２３１】
ブライトネス調整は、テレビジョンにおける暗部中心の明るさ調整に用いられる調整項目である。コントラスト調整は、明部中心の明るさ調整に用いられる調整項目である。ガンマ調整は、中間部の明るさ調整に用いられる調整項目である。
【０２３２】
例えば、「５０」という明度には、ブライトネス調整、コントラスト調整、ガンマ調整の調整内容として、「ｂ５」、「ｃ５」、「ｇ５」がそれぞれ対応付けられている。これは、明度５０でプレビュー画像を表示させるには、ブライトネス調整、コントラスト調整、およびガンマ調整の調整内容を、それぞれｂ５、ｃ５、ｇ５とすれば良いということを示す。
【０２３３】
なお、ここでは明度に対応して、ブライトネス調整、コントラスト調整、ガンマ調整の３種の調整項目の表示調整内容を規定する場合を例示したが、これに限定されるものではなく、画像表示装置８３０で表示調整が可能な調整項目について規定すれば良い。
【０２３４】
また、色温度に対応するリニア対応参照テーブル９００−２には、色温度として採り得る値に対応付けて、色温度調整という調整項目の調整内容が記述されている。
【０２３５】
例えば、「６５００」という色温度には、色温度調整の調整内容として、「ｗ１」が対応付けられている。これは、色温度６５００でプレビュー画像を表示させるには、色温度調整の調整内容をｗ１とすれば良いということを示す。
【０２３６】
なお、リニア対応参照テーブル９００に格納する具体的な調整値は、例えば、実施の形態４で説明した標準画像を画像表示部４３５で表示させ、表示される色度を計測することにより、各々得ることが可能である。リニア対応参照テーブル９００の各調整値は、例えば出荷前に、画像表示装置８３０の個体ごとに計測し、計測結果から求めても良い。または、同一機種で各調整値に対する結果に共通性がある場合には、事前にサンプルとなる個体を用いて計測を行い、その計測結果に基づく値を同一機種で一律に用いるようにしても良い。
【０２３７】
図２２の表示調整部８３６は、表示パラメータ決定部４３３から通知された画質指定情報に基づいて、表示調整内容を取得する。具体的には、表示調整部８３６は、画質指定情報が指定する画質調整内容に対応する表示調整内容を、取得する。そして、表示調整部８３６は、取得した表示調整内容に従って、プレビュー画像の表示調整を行う。
【０２３８】
以下、本実施の形態に係る画像表示装置８３０の動作について説明する。
【０２３９】
画像表示装置８３０は、例えば図１に示す画像生成装置１２０から画像集合２２１および画質パラメータ情報２２３を受信すると、図１４で説明したように、使用パラメータ情報およびプレビュー使用画像を決定し、プレビュー使用画像を表示させる。なお、本実施の形態では、使用パラメータ情報は表示調整部８３６で用いられないため、表示パラメータ決定部４３３から表示調整部８３６への使用パラメータ情報の通知は行わなくても良い。
【０２４０】
図２４は、画像集合２２１および画質パラメータ情報２２３を受信してからプレビュー画像を切り替えて表示するまでの、画像表示装置８３０の動作の流れの一例を示すフローチャートであり、実施の形態２の図１４に対応するものである。図１４と同一部分には同一ステップ番号を付し、これについての説明を省略する。
【０２４１】
表示パラメータ決定部４３３から画質指定情報の通知を受けた表示調整部８３６は、ステップＳ４５００に代えて、ステップＳ４５１０の処理を行う。
【０２４２】
ステップＳ４５１０で、表示調整部８３６は、リニア対応参照テーブル９００を参照して、画質パラメータの種別ごとに表示調整内容を決定する。具体的には、画質調整部８３６は、画質パラメータの種別ごとに、画質指定情報の値に対応する各調整項目の値をリニア対応参照テーブル９００から取得し、取得した調整内容から、表示調整内容を決定する。調整項目が複数の場合には、複数の調整内容の組み合わせが、決定される表示調整内容となる。
【０２４３】
そして、ステップＳ４６１０で、表示調整部８３６は、表示画像に対し、取得した表示調整内容を適用して、表示画像の画質調整を行う。この結果、プレビュー画像の表示画質も調整される。
【０２４４】
このように、本実施の形態によれば、画質パラメータの各値がプレビュー画像の表示画質に与える影響と同一の影響を与える表示調整内容を記述した、リニア対応参照テーブルを予め格納する。そして、このリニア対応参照テーブルを参照して、ユーザにより指定された画質パラメータの各値に対応する表示調整内容をプレビュー画像に適用する。これにより、ユーザが指定した画質調整内容に対応する画質の画像要素が存在しない場合でも、ユーザが指定した画質調整内容により得られる画質に類似したプレビュー画像を表示させることができる。また、ユーザが指定した画質調整内容に対応する画質の画像要素が存在しなくても類似したプレビュー画像を表示させることができるため、画像要素の必要枚数を削減することができ、より短い時間で入力画像からプレビュー画像を表示することができる。
【０２４５】
なお、以上説明した実施の形態１、３では、画像生成装置１２０、６２０において、入力画像２１０からプレビュー画像の基となる画像要素を生成するとしたが、入力画像２１０を縮小した画像から画像要素を生成し、縮小していない元の入力画像２１０から目的画像２４０を生成するようにしても良い。これにより、処理の高速化と目的画像２４０の高品質化とを両立させることができる。また、目的画像２４０の生成に用いる編集処理と同一の編集処理を入力画像２１０に用いて、画像要素を生成するようにし、更に、画像要素そのものを目的画像２４０としてユーザに提供するようにしても良い。
【０２４６】
また、画質指定情報は、画質調整内容を示す情報ではなく、画質調整内容そのものであっても良い。この場合には、画像生成装置１２０、６２０は、生成された画像要素を画質調整内容に対応付ける必要が無い。
【０２４７】
また、以上説明した各実施の形態では、画像表示装置をテレビジョンとして説明したが、これに限定されるものではない。例えば、パーソナルコンピュータ、携帯情報端末、携帯電話機、携帯ゲーム機など、画像データの画像表示および入力操作が可能な各種機器、更に表示画像の画質調整を行うことができる各種機器に適用できることは勿論である。
【０２４８】
更に、画像生成装置と画像表示装置とが一体的に設けられている構成としても良い。この場合には、これら装置間の情報伝達に要する時間が短縮され、画像データからプレビュー画像が表示されるまでに要する最大時間を更に短縮することができる。
【産業上の利用可能性】
【０２４９】
本発明に係る画像生成装置、画像表示装置、画像生成方法、画像表示方法、画像生成プログラム、および画像表示プログラムは、画質調整の選択の幅を極力狭めずに、プレビュー画像が表示されるまでに要する最大時間を短縮することができるサーバ機器、コンピュータ機器、ネットＴＶ、セットトップボックス等のコンピュータやＡＶ（audio-visual）機器に有用である。
【図面の簡単な説明】
【０２５０】
【図１】本発明の実施の形態１に係る画像生成装置を含む画像処理システムの構成を示すシステム構成図
【図２】実施の形態１に係る画像生成装置の構成を示すブロック図
【図３】実施の形態１における入力画像のデータ構成の一例を示す図
【図４】実施の形態１における調整範囲テーブルの内容の一例を示す図
【図５】実施の形態１における削減対象テーブルの内容の一例を示す図
【図６】実施の形態１におけるデフォルト値テーブルの内容の一例を示す図
【図７】実施の形態１に係る画像生成装置の動作の流れの一例を示すフローチャート
【図８】実施の形態１におけるリスト作成処理の流れの一例を示すフローチャート
【図９】実施の形態１におけるリスト作成処理における具体的な処理内容を示すフローチャート
【図１０】本発明の実施の形態２に係る画像表示装置の構成を示すブロック図
【図１１】実施の形態２における画像集合とこれに付随する画質パラメータ情報の内容の一例を示す図
【図１２】実施の形態２におけるユーザインタフェースの構成の一例を示す図
【図１３】実施の形態２における表示調整参照テーブルの内容の一例を示す図
【図１４】実施の形態２に係る画像表示装置の動作の流れの一例を示すフローチャート
【図１５】本発明の実施の形態３に係る画像生成装置の構成を示すブロック図
【図１６】実施の形態３における色域最大化の原理を模式的に示す図
【図１７】実施の形態３における削減対象テーブルの内容の一例を示す図
【図１８】実施の形態３における調整範囲情報の内容の一例を示す図
【図１９】実施の形態３に係る画像表示装置の動作の流れの一例を示すフローチャート
【図２０】実施の形態３におけるデフォルト値決定処理の流れの一例を示すフローチャート
【図２１】実施の形態３におけるデフォルト値決定処理の具体的な処理の流れの一例を示すフローチャート
【図２２】本発明の実施の形態４に係る画像表示装置の構成を示すブロック図
【図２３】実施の形態４におけるリニア対応参照テーブルの内容を示す図
【図２４】実施の形態４に係る画像表示装置の動作の流れの一例を示すフローチャート
【図２５】従来の画像生成装置の構成を示すブロック図
【図２６】従来の画像生成装置の構成を示すブロック図
【符号の説明】
【０２５１】
１００  画像処理システム
１１０  画像入力機器群
１２０、６２０  画像生成装置
１３０  画像表示装置
１４０  画像出力機器群
１５０  情報通信ネットワーク
１２１  入力画像格納部
１２２  画質パラメータ格納部
１２３  画質パラメータ削減対象選択部
１２４、６２４  画質パラメータデフォルト決定部
１２５  画質パラメータ適用部
１２６  出力画像格納部
１２７、４３１  送受信部
４３０、８３０  画像表示装置
４３２  画像格納部
４３３  表示パラメータ決定部
４３４  画像選択部
４３５  画像表示部
４３６、８３６  表示調整部
６２８  再現色域計算部
８３７  リニア対応参照テーブル格納部
【図１】
0005041905.tif 000002
【図２】
0005041905.tif 000003
【図３】
0005041905.tif 000004
【図４】
0005041905.tif 000005
【図５】
0005041905.tif 000006
【図６】
0005041905.tif 000007
【図７】
0005041905.tif 000008
【図８】
0005041905.tif 000009
【図９】
0005041905.tif 000010
【図１０】
0005041905.tif 000011
【図１１】
0005041905.tif 000012
【図１２】
0005041905.tif 000013
【図１３】
0005041905.tif 000014
【図１４】
0005041905.tif 000015
【図１５】
0005041905.tif 000016
【図１６】
0005041905.tif 000017
【図１７】
0005041905.tif 000018
【図１８】
0005041905.tif 000019
【図１９】
0005041905.tif 000020
【図２０】
0005041905.tif 000021
【図２１】
0005041905.tif 000022
【図２２】
0005041905.tif 000023
【図２３】
0005041905.tif 000024
【図２４】
0005041905.tif 000025
【図２５】
0005041905.tif 000026
【図２６】
0005041905.tif 000027